(57)【要約】  本発明は、シグナリング送信方法、参考信号送信方法、装置、システム、プログラム及び記録媒体に関し、通信分野に関する。上記方法において、ネットワークアクセスデバイスは、端末デバイスの第１周波数帯域を利用した通信が所定の条件を満たすか否かを検出し、端末デバイスは、所定の命令を受信した後、第２周波数帯域を利用して参考信号を送信する。端末デバイスとネットワークアクセスデバイスとの間の第１周波数帯域を利用した通信が所定の条件を満たすと、端末デバイスにより第２周波数帯域を利用して参考信号を送信することにより、ネットワーキング環境がより複雑である場合に、ネットワークアクセスデバイスが参考信号を送信する効率が低下する問題を解決して、端末デバイスにより参考信号を送信できるようになった上に、第１周波数帯域の具体的な通信の情況によって、選択的に、第２周波数帯域を利用して参考信号を送信できるようになって、端末デバイスが参考信号を送信する効率を改善して、端末デバイスが第２周波数帯域を利用して参考信号を送信する時にかかる消費電力を節約する効果を得た。【選択図】        図５
2018523319.tif 000002
【特許請求の範囲】
【請求項１】
第１ネットワークアクセスデバイスが、端末デバイスの第１周波数帯域を利用した通信が所定の条件を満たすか否かを検出するステップと、
上記第１ネットワークアクセスデバイスが、上記第１周波数帯域を利用した通信が上記所定の条件を満たすと、上記端末デバイスが第２周波数帯域を利用して参考信号を送信するように指示するための所定のシグナリングを上記端末デバイスに送信するステップと
を含み、
ここで、上記第１周波数帯域と上記第２周波数帯域とが互いに異なる
ことを特徴とするシグナリング送信方法。
【請求項２】
上記所定の条件は、
第１信号の信号強度が所定の強度より大きいこと、
上記第１信号の受信パワーが所定のパワーより大きいこと、
上記第１信号の受信品質が所定の品質より大きいこと、
上記第１信号のエラー率が所定の値未満であること
の中の少なくとも一つを含み、
ここで、上記第１信号は、上記端末デバイスが上記第１周波数帯域を利用して送信した信号である
ことを特徴とする請求項１に記載のシグナリング送信方法。
【請求項３】
上記所定の条件は、
上記端末デバイスが上記第１周波数帯域を使用して通信する際の第１地理位置と所定のネットワークアクセスデバイスの第２地理位置との間の距離が所定の閾値未満であること、
或いは、
上記端末デバイスが上記第１周波数帯域を使用して通信する際の上記第１地理位置が、上記所定のネットワークアクセスデバイスによって特定した領域である所定の領域内に位置すること
を含み、
ここで、上記所定のネットワークアクセスデバイスは、上記第２周波数帯域をサポートするネットワークアクセスデバイスである
ことを特徴とする請求項１に記載のシグナリング送信方法。
【請求項４】
上記所定の条件は、
第１信号を受信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
上記第１信号を受信する際に使用した上記ＭＩＭＯアンテナのアンテナ位置が所定の位置を満たすこと、
或いは、
上記第１信号を受信する際に使用した上記ＭＩＭＯアンテナのアンテナ数が所定の数を超えるし、且つ、アンテナ位置が所定の位置を満たすこと
を含み、
ここで、上記第１信号は、上記端末デバイスが上記第１周波数帯域を利用して送信した信号であり、上記アンテナ位置は、使用したＭＩＭＯアンテナのＭＩＭＯアンテナアレーに対する位置である
ことを特徴とする請求項１に記載のシグナリング送信方法。
【請求項５】
上記所定の条件は、
第２ネットワークアクセスデバイスが受信した、上記端末デバイスにより上記第１周波数帯域を利用して送信した信号の信号パラメータが第１条件を満たすこと、
或いは、
上記第２ネットワークアクセスデバイスが受信した、上記端末デバイスにより上記第１周波数帯域を利用して送信した信号の信号パラメータが第２条件を満たし、且つ、上記第１ネットワークアクセスデバイスが受信した、上記端末デバイスにより上記第１周波数帯域を利用して送信した信号の信号パラメータが第３条件を満たすこと
を含み、
ここで、上記信号パラメータは、信号強度、信号パワー、信号品質及び信号エラー率の中の少なくとも一つを含む
ことを特徴とする請求項１に記載のシグナリング送信方法。
【請求項６】
上記所定の条件は、
上記端末デバイスが受信した第１定位信号の信号受信強度が第１強度未満であること、
或いは、
上記端末デバイスが受信した上記第１定位信号の信号受信強度が上記第１強度未満であり、且つ、上記第１ネットワークアクセスデバイスが受信した第２定位信号の信号受信強度が第２強度未満であること、
或いは、
上記端末デバイスが受信した上記第１定位信号の信号受信強度と上記第１ネットワークアクセスデバイスが受信した上記第２定位信号の信号受信強度との間の差分が所定の差分未満であること
を含み、
ここで、上記第１定位信号は、上記端末が上記第１周波数帯域を使用して通信する際に受信した定位信号である
ことを特徴とする請求項１に記載のシグナリング送信方法。
【請求項７】
上記第１周波数帯域の周波数上限は、上記第２周波数帯域の周波数下限未満である
ことを特徴とする請求項１乃至６の中のいずれか1項に記載のシグナリング送信方法。
【請求項８】
上記第２周波数帯域はｎ個あり、各上記第２周波数帯域はそれぞれの上記所定の条件に対応される
ことを特徴とする請求項１乃至６の中のいずれか1項に記載のシグナリング送信方法。
【請求項９】
上記参考信号は、
端末デバイスに利用される特定参考信号、ＤＭＲＳ（ｄｅｍｏｄｕｌａｔｉｏｎ ｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅ ｓｉｇｎａｌ）のような参考信号の中の少なくとも一つを含む
ことを特徴とする請求項１乃至６の中のいずれか1項に記載のシグナリング送信方法。
【請求項１０】
端末デバイスが、ネットワークアクセスデバイスと第１周波数帯域を利用して通信するステップと、
上記端末デバイスが、上記ネットワークアクセスデバイスにより上記第１周波数帯域を利用した上記通信が所定の条件を満たす際に送信した所定の命令を受信するステップと、
上記端末デバイスが第２周波数帯域を利用して参考信号を送信するステップと
を含み、
ここで、上記第１周波数帯域と上記第２周波数帯域とが互いに異なる
ことを特徴とする参考信号送信方法。
【請求項１１】
上記第１周波数帯域の周波数上限は、上記第２周波数帯域の周波数下限未満である
ことを特徴とする請求項１０に記載の参考信号送信方法。
【請求項１２】
上記第２周波数帯域はｎ個あり、各上記第２周波数帯域はそれぞれの上記所定の条件に対応される
ことを特徴とする請求項１０又は１１に記載の参考信号送信方法。
【請求項１３】
上記参考信号は、
端末デバイスに利用される特定参考信号、ＤＭＲＳ（ｄｅｍｏｄｕｌａｔｉｏｎ ｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅ ｓｉｇｎａｌ）のような参考信号の中の少なくとも一つを含む
ことを特徴とする請求項１０又は１１に記載の参考信号送信方法。
【請求項１４】
端末デバイスが、第１ネットワークアクセスデバイスと第１周波数帯域を利用して通信するステップと、
上記端末デバイスが、上記第１周波数帯域を利用した通信が所定の条件を満たすか否かを検出するステップと、
上記端末デバイスが、上記第１周波数帯域を利用した通信が上記所定の条件を満たすと、第２周波数帯域を利用して参考信号を送信するステップと
を含み、
ここで、上記第１周波数帯域と上記第２周波数帯域とが互いに異なる
ことを特徴とする参考信号送信方法。
【請求項１５】
上記所定の条件は、
第２信号の信号強度が所定の強度より大きいこと、
上記第２信号の受信パワーが所定のパワーより大きいこと、
上記第２信号の受信品質が所定の品質より大きいこと、
上記第２信号のエラー率が所定の値未満であること
の中の少なくとも一つを含み、
ここで、上記第２信号は、上記第１ネットワークアクセスデバイスが上記第１周波数帯域を利用して送信した信号である
ことを特徴とする請求項１４に記載の参考信号送信方法。
【請求項１６】
上記所定の条件は、
上記端末デバイスが上記第１周波数帯域を使用して通信する際の第１地理位置と所定のネットワークアクセスデバイスの第２地理位置との間の距離が所定の閾値未満であること、
或いは、
上記端末デバイスが上記第１周波数帯域を使用して通信する際の上記第１地理位置が、上記所定のネットワークアクセスデバイスによって特定した領域である所定の領域内に位置すること
を含み、
ここで、上記所定のネットワークアクセスデバイスは上記第２周波数帯域をサポートするネットワークアクセスデバイスである
ことを特徴とする請求項１４に記載の参考信号送信方法。
【請求項１７】
上記所定の条件は、
上記端末デバイスが上記第１周波数帯域を利用して信号を送信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
上記端末デバイスが上記第１周波数帯域を利用して上記信号を送信する際に使用した上記ＭＩＭＯアンテナのアンテナ位置が所定の位置を満たすこと、
或いは、
上記端末デバイスが上記第１周波数帯域を利用して上記信号を送信する際に使用した上記ＭＩＭＯアンテナのアンテナ数が所定の数を超えるし、且つ、アンテナ位置が所定の位置を満たすこと
を含み、
ここで、上記アンテナ位置は、使用したＭＩＭＯアンテナのＭＩＭＯアンテナアレーに対する位置である
ことを特徴とする請求項１４に記載の参考信号送信方法。
【請求項１８】
上記所定の条件は、
上記端末デバイスが受信した第１定位信号の信号受信強度が第１強度未満であること、
或いは、
上記端末デバイスが受信した上記第１定位信号の信号受信強度が上記第１強度未満であり、且つ、上記第１ネットワークアクセスデバイスが受信した第２定位信号の信号受信強度が第２強度未満であること、
或いは、
上記端末デバイスが受信した上記第１定位信号の信号受信強度と上記第１ネットワークアクセスデバイスが受信した上記第２定位信号の信号受信強度との間の差分が所定の差分未満であること
を含み、
ここで、上記第１定位信号は、上記端末デバイスが上記第１周波数帯域を使用して通信する際に受信した定位信号である
ことを特徴とする請求項１４に記載の参考信号送信方法。
【請求項１９】
上記第１周波数帯域の周波数上限は、上記第２周波数帯域の周波数下限未満である
ことを特徴とする請求項１４乃至１８の中のいずれか１項に記載の参考信号送信方法。
【請求項２０】
上記第２周波数帯域はｎ個あり、各上記第２周波数帯域はそれぞれの上記所定の条件に対応される
ことを特徴とする請求項１４乃至１８の中のいずれか１項に記載の参考信号送信方法。
【請求項２１】
端末デバイスの第１周波数帯域を利用した通信が所定の条件を満たすか否かを検出する処理モジュールと、
上記第１周波数帯域を利用した通信が上記所定の条件を満たすと、上記端末デバイスが第２周波数帯域を利用して参考信号を送信するように指示するための所定のシグナリングを上記端末デバイスに送信する送信モジュールと
を備え、
ここで、上記第１周波数帯域と上記第２周波数帯域とが互いに異なる
ことを特徴とするシグナリング送信装置。
【請求項２２】
上記所定の条件は、
第１信号の信号強度が所定の強度より大きいこと、
上記第１信号の受信パワーが所定のパワーより大きいこと、
上記第１信号の受信品質が所定の品質より大きいこと、
上記第１信号のエラー率が所定の値未満であること
の中の少なくとも一つを含み、
ここで、上記第１信号は、上記端末デバイスが上記第１周波数帯域を利用して送信した信号である
ことを特徴とする請求項２１に記載のシグナリング送信装置。
【請求項２３】
上記所定の条件は、
上記端末デバイスが上記第１周波数帯域を使用して通信する際の第１地理位置と所定のネットワークアクセスデバイスの第２地理位置との間の距離が所定の閾値未満であること、
或いは、
上記端末デバイスが上記第１周波数帯域を使用して通信する際の上記第１地理位置が、上記所定のネットワークアクセスデバイスによって特定した領域である所定の領域内に位置すること
を含み、
ここで、上記所定のネットワークアクセスデバイスは、上記第２周波数帯域をサポートするネットワークアクセスデバイスである
ことを特徴とする請求項２１に記載のシグナリング送信装置。
【請求項２４】
上記所定の条件は、
第１信号を受信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
上記第１信号を受信する際に使用した上記ＭＩＭＯアンテナのアンテナ位置が所定の位置を満たすこと、
或いは、
上記第１信号を受信する際に使用した上記ＭＩＭＯアンテナのアンテナ数が所定の数を超えるし、且つ、アンテナ位置が所定の位置を満たすこと
を含み、
ここで、上記第１信号は、上記端末デバイスが上記第１周波数帯域を利用して送信した信号であり、上記アンテナ位置は、使用したＭＩＭＯアンテナのＭＩＭＯアンテナアレーに対する位置である
ことを特徴とする請求項２１に記載のシグナリング送信装置。
【請求項２５】
上記所定の条件は、
第２ネットワークアクセスデバイスが受信した、上記端末デバイスにより上記第１周波数帯域を利用して送信した信号の信号パラメータが第１条件を満たすこと、
或いは、
上記第２ネットワークアクセスデバイスが受信した、上記端末デバイスにより上記第１周波数帯域を利用して送信した信号の信号パラメータが第２条件を満たし、且つ、上記シグナリング送信装置が受信した、上記端末デバイスにより上記第１周波数帯域を利用して送信した信号の信号パラメータが第３条件を満たすこと
を含み、
ここで、上記信号パラメータは、信号強度、信号パワー、信号品質及び信号エラー率の中の少なくとも一つを含む
ことを特徴とする請求項２１に記載のシグナリング送信装置。
【請求項２６】
上記所定の条件は、
上記端末デバイスが受信した第１定位信号の信号受信強度が第１強度未満であること、
或いは、
上記端末デバイスが受信した上記第１定位信号の信号受信強度が上記第１強度未満であり、且つ、上記シグナリング送信装置が受信した第２定位信号の信号受信強度が第２強度未満であること、
或いは、
上記端末デバイスが受信した上記第１定位信号の信号受信強度と上記シグナリング送信装置が受信した上記第２定位信号の信号受信強度との間の差分が所定の差分未満であること
を含み、
ここで、上記第１定位信号は、上記端末が上記第１周波数帯域を使用して通信する際に受信した定位信号である
ことを特徴とする請求項２１に記載のシグナリング送信装置。
【請求項２７】
上記第１周波数帯域の周波数上限は、上記第２周波数帯域の周波数下限未満である
ことを特徴とする請求項２１乃乃至２６の中のいずれか１項に記載のシグナリング送信装置。
【請求項２８】
上記第２周波数帯域はｎ個あり、各上記第２周波数帯域はそれぞれの上記所定の条件に対応される
ことを特徴とする請求項２１乃乃至２６の中のいずれか１項に記載のシグナリング送信装置。
【請求項２９】
上記参考信号は、
端末デバイスに利用される特定参考信号、ＤＭＲＳ（ｄｅｍｏｄｕｌａｔｉｏｎ ｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅ ｓｉｇｎａｌ）のような参考信号の中の少なくとも一つを含む
ことを特徴とする請求項２１乃乃至２６の中のいずれか１項に記載のシグナリング送信装置。
【請求項３０】
ネットワークアクセスデバイスと第１周波数帯域を利用して通信する処理モジュールと、
上記ネットワークアクセスデバイスが上記第１周波数帯域を利用した上記通信が所定の条件を満たす際に送信した所定の命令を受信する受信モジュールと、
第２周波数帯域を利用して参考信号を送信する送信モジュールと
を備え、
ここで、上記第１周波数帯域と上記第２周波数帯域とが互いに異なる
ことを特徴とする参考信号送信装置。
【請求項３１】
上記第１周波数帯域の周波数上限は、上記第２周波数帯域の周波数下限未満である
ことを特徴とする請求項３０に記載の参考信号送信装置。
【請求項３２】
上記第２周波数帯域はｎ個あり、各上記第２周波数帯域はそれぞれの上記所定の条件に対応される
ことを特徴とする請求項３０又は３１に記載の参考信号送信装置。
【請求項３３】
上記参考信号は、
端末デバイスに利用される特定参考信号、ＤＭＲＳ（ｄｅｍｏｄｕｌａｔｉｏｎ ｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅ ｓｉｇｎａｌ）のような参考信号の中の少なくとも一つを含む
ことを特徴とする請求項３０又は３１に記載の参考信号送信装置。
【請求項３４】
第１ネットワークアクセスデバイスと第１周波数帯域を利用して通信する処理モジュールと、
上記第１周波数帯域を利用した通信が所定の条件を満たすか否かを検出する上記処理モジュールと、
上記第１周波数帯域を利用した通信が所定の条件を満たすと、第２周波数帯域を利用して参考信号を送信する送信モジュールと
を備え、
ここで、上記第１周波数帯域と上記第２周波数帯域とが互いに異なる
ことを特徴とする参考信号送信装置。
【請求項３５】
上記所定の条件は、
第２信号の信号強度が所定の強度より大きいこと、
上記第２信号の受信パワーが所定のパワーより大きいこと、
上記第２信号の受信品質が所定の品質より大きいこと、
上記第２信号のエラー率が所定の値未満であること
の中の少なくとも一つを含み、
ここで、上記第２信号は、上記第１ネットワークアクセスデバイスが上記第１周波数帯域を利用して送信した信号である
ことを特徴とする請求項３４に記載の参考信号送信装置。
【請求項３６】
上記所定の条件は、
上記参考信号送信装置が上記第１周波数帯域を使用して通信する際の第１地理位置と所定のネットワークアクセスデバイスの第２地理位置との間の距離が所定の閾値未満であること、
或いは、
上記参考信号送信装置が上記第１周波数帯域を使用して通信する際の上記第１地理位置が、上記所定のネットワークアクセスデバイスによって特定した領域である所定の領域内に位置すること
を含み、
ここで、上記所定のネットワークアクセスデバイスは上記第２周波数帯域をサポートするネットワークアクセスデバイスである
ことを特徴とする請求項３４に記載の参考信号送信装置。
【請求項３７】
上記所定の条件は、
上記参考信号送信装置が上記第１周波数帯域を利用して信号を送信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
上記参考信号送信装置が上記第１周波数帯域を利用して上記信号を送信する際に使用した上記ＭＩＭＯアンテナのアンテナ位置が所定の位置を満たすこと、
或いは、
上記参考信号送信装置が上記第１周波数帯域を利用して上記信号を送信する際に使用した上記ＭＩＭＯアンテナのアンテナ数が所定の数を超えるし、且つ、アンテナ位置が所定の位置を満たすこと
を含み、
ここで、上記アンテナ位置は、使用したＭＩＭＯアンテナのＭＩＭＯアンテナアレーに対する位置である
ことを特徴とする請求項３４に記載の参考信号送信装置。
【請求項３８】
上記所定の条件は、
上記参考信号送信装置が受信した第１定位信号の信号受信強度が第１強度未満であること、
或いは、
上記参考信号送信装置が受信した上記第１定位信号の信号受信強度が上記第１強度未満であり、且つ、上記第１ネットワークアクセスデバイスが受信した第２定位信号の信号受信強度が第２強度未満であること、
或いは、
上記参考信号送信装置が受信した上記第１定位信号の信号受信強度と上記第１ネットワークアクセスデバイスが受信した上記第２定位信号の信号受信強度との間の差分が所定の差分未満であること
を含み、
ここで、上記第１定位信号は、上記参考信号送信装置が上記第１周波数帯域を使用して通信する際に受信した定位信号である
ことを特徴とする請求項３４に記載の参考信号送信装置。
【請求項３９】
上記第１周波数帯域の周波数上限は、上記第２周波数帯域の周波数下限未満である
ことを特徴とする請求項３４乃至３８の中のいずれか１項に記載の参考信号送信装置。
【請求項４０】
上記第２周波数帯域はｎ個あり、各上記第２周波数帯域はそれぞれの上記所定の条件に対応される
ことを特徴とする請求項３４乃至３８の中のいずれか１項に記載の参考信号送信装置。
【請求項４１】
プロセッサと、
前記プロセッサが実行可能な命令を記憶するためのメモリと
を備え、
前記プロセッサは、
端末デバイスの第１周波数帯域を利用した通信が所定の条件を満たすか否かを検出し、
上記第１周波数帯域を利用した通信が上記所定の条件を満たすと、上記端末デバイスが第２周波数帯域を利用して参考信号を送信するように指示するための所定のシグナリングを上記端末デバイスに送信する
ように構成され、
ここで、上記第１周波数帯域と上記第２周波数帯域とが互いに異なる
ことを特徴とするネットワークアクセスデバイス。
【請求項４２】
プロセッサと、
前記プロセッサが実行可能な命令を記憶するためのメモリと
を備え、
前記プロセッサは、
ネットワークアクセスデバイスと第１周波数帯域を利用して通信し、
上記ネットワークアクセスデバイスが上記第１周波数帯域を利用した上記通信が所定の条件を満たす際に送信した所定の命令を受信し、
第２周波数帯域を利用して参考信号を送信する
ように構成され、
ここで、上記第１周波数帯域と上記第２周波数帯域とが互いに異なる
ことを特徴とする端末デバイス。
【請求項４３】
プロセッサと、
前記プロセッサが実行可能な命令を記憶するためのメモリと
を備え、
前記プロセッサは、
第１ネットワークアクセスデバイスと第１周波数帯域を利用して通信し、
上記第１周波数帯域を利用した通信が所定の条件を満たすか否かを検出し、
上記第１周波数帯域を利用した通信が上記所定の条件を満たすと、第２周波数帯域を利用して参考信号を送信する
ように構成され、
ここで、上記第１周波数帯域と上記第２周波数帯域とが互いに異なる
ことを特徴とする端末デバイス。
【請求項４４】
ネットワークアクセスデバイスと、端末デバイスとを備え、
上記ネットワークアクセスデバイスは、請求項２１乃至２９の中のいずれか１項に記載の装置を含み、
上記端末デバイスは、請求項３０乃至３３の中のいずれか１項に記載の装置を含む
ことを特徴とするモバイル通信システム。
【請求項４５】
ネットワークアクセスデバイスと、端末デバイスとを備え、
上記端末デバイスは、請求項３４乃至４０の中のいずれか１項に記載の装置を含む
ことを特徴とするモバイル通信システム。
【請求項４６】
上記モバイル通信システムは、ネットワークアクセスデバイスと、端末デバイスとを備え、
上記ネットワークアクセスデバイスは、請求項４１に記載のネットワークアクセスデバイスであり、
上記端末デバイスは、請求項４２に記載の端末デバイスである
ことを特徴とするモバイル通信システム。
【請求項４７】
ネットワークアクセスデバイスと、端末デバイスとを備え、
上記端末デバイスは、請求項４３に記載の端末デバイスである
ことを特徴とするモバイル通信システム。
【発明の詳細な説明】
【相互参照】
【０００１】
本願は、出願番号がＣＮ２０１６１０３４４９２２.３であって、出願日が２０１６年５月２３日である中国特許出願に基づいて優先権を主張し、当該中国特許出願のすべての内容を援用する。
【技術分野】
【０００２】
本発明は、通信分野に関し、特に、シグナリング送信方法、参考信号送信方法、装置及びシステムに関する。
【背景技術】
【０００３】
参考信号（ＲｅｆｅｒｅｎｃｅＳｉｇｎａｌ、ＲＳ）は、チャネルの評価、或いは、チャネルの検索のための、送信側が受信側に提供する信号である。
【０００４】
ロングタームエボリューション（Ｌｏｎｇ Ｔｅｒｍ Ｅｖｏｌｕｔｉｏｎ、ＬＴＥ）システムにおいて、一般的に、エボリューションタイプの基地局（ｅｖｏｌｕｔｉｏｎａｌ Ｎｏｄｅ Ｂ、ｅＮＢ、或いは、ｅ−ＮｏｄｅＢ）によりサービス範囲内でダウンリンクの参考信号を送信し、上記サービス範囲内に位置するユーザデバイス（Ｕｓｅｒ Ｅｑｕｉｐｍｅｎｔ、ＵＥ）により上記ダウンリンクの参考信号を測定して、測定結果によってランダムアクセス過程、或いは、データ送受信過程を実行する。
【発明の概要】
【発明が解決しようとする課題】
【０００５】
本発明は、シグナリング送信方法、参考信号送信方法、装置及びシステムを提供する。
【課題を解決するための手段】
【０００６】
本発明の実施例に係る第１の態様によると、シグナリング送信方法を提供する。
【０００７】
上記方法は、
第１ネットワークアクセスデバイスが、端末デバイスの第１周波数帯域を利用した通信が所定の条件を満たすか否かを検出するステップと、
第１ネットワークアクセスデバイスが、第１周波数帯域を利用した通信が所定の条件を満たすと、端末デバイスが第２周波数帯域を利用して参考信号を送信するように指示するための所定のシグナリングを、端末デバイスに送信するステップと
を含み、
ここで、第１周波数帯域と第２周波数帯域とは互いに異なる。
【０００８】
オプションとする実施例において、所定の条件は、
第１信号の信号強度が所定の強度より大きいこと、
第１信号の受信パワーが所定のパワーより大きいこと、
第１信号の受信品質が所定の品質より大きいこと、
第１信号のエラー率が所定の値未満であること
の中の少なくとも一つを含み、
ここで、第１信号は、端末デバイスが第１周波数帯域を利用して送信した信号である。
【０００９】
オプションとする実施例において、所定の条件は、
端末デバイスが第１周波数帯域を使用して通信する際の第１地理位置と所定のネットワークアクセスデバイスの第２地理位置との間の距離が所定の閾値未満であること、
或いは、
端末デバイスが第１周波数帯域を使用して通信する際の第１地理位置が、所定のネットワークアクセスデバイスによって特定した領域である所定の領域内に位置すること
を含み、
ここで、所定のネットワークアクセスデバイスは、第２周波数帯域をサポートするネットワークアクセスデバイスである。
【００１０】
オプションとする実施例において、所定の条件は、
第１信号を受信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
第１信号を受信する際に使用されたＭＩＭＯアンテナのアンテナ位置が所定の位置を満たすこと、
或いは、
第１信号を受信する際に使用されたＭＩＭＯアンテナのアンテナ数が所定の数を超えるし、且つ、アンテナ位置が所定の位置を満たすこと
を含み、
ここで、第１信号は、端末デバイスが第１周波数帯域を利用して送信した信号であり、アンテナ位置は、使用したＭＩＭＯアンテナのＭＩＭＯアンテナアレーに対する位置である。
【００１１】
オプションとする実施例において、所定の条件は、
第２ネットワークアクセスデバイスが受信した、端末デバイスにより第１周波数帯域を利用して送信した信号の信号パラメータが第１条件を満たすこと、
或いは、
第２ネットワークアクセスデバイスが受信した、端末デバイスにより第１周波数帯域を利用して送信した信号の信号パラメータが第２条件を満たし、且つ、第１ネットワークアクセスデバイスが受信した、端末デバイスにより第１周波数帯域を利用して送信した信号の信号パラメータが第３条件を満たすこと
を含み、
ここで、信号パラメータは、信号強度、信号パワー、信号品質及び信号エラー率の中の少なくとも一つを含む。
【００１２】
オプションとする実施例において、所定の条件は、
端末デバイスが受信した第１定位信号の信号受信強度が第１強度未満であること、
或いは、
端末デバイスが受信した第１定位信号の信号受信強度が第１強度未満であり、且つ、第１ネットワークアクセスデバイスが受信した第２定位信号の信号受信強度が第２強度未満であること、
或いは、
端末デバイスが受信した第１定位信号の信号受信強度と第１ネットワークアクセスデバイスが受信した第２定位信号の信号受信強度との間の差分が所定の差分未満であること
を含み、
ここで、第１定位信号は、端末が第１周波数帯域を使用して通信する際に受信した定位信号である。
【００１３】
オプションとする実施例において、第１周波数帯域の周波数上限が、第２周波数帯域の周波数下限未満である。
【００１４】
オプションとする実施例において、第２周波数帯域はｎ個あり、各々の第２周波数帯域は、それぞれの所定の条件に対応される。
【００１５】
オプションとする実施例において、参考信号は、
端末デバイスに利用される特定参考信号、ＤＭＲＳ（ｄｅｍｏｄｕｌａｔｉｏｎ ｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅ ｓｉｇｎａｌ）のような参考信号の中の少なくとも一つを含む。
【００１６】
本発明の実施例に係る第２の態様によると、参考信号送信方法を提供する。
【００１７】
上記方法は、
端末デバイスが、ネットワークアクセスデバイスと第１周波数帯域を利用して通信するステップと、
端末デバイスが、ネットワークアクセスデバイスにより第１周波数帯域を利用した通信が所定の条件を満たす際に送信した所定の命令を受信するステップと、
端末デバイスが第２周波数帯域を利用して参考信号を送信するステップと
を含み、
ここで、第１周波数帯域と第２周波数帯域とは互いに異なる。
【００１８】
オプションとする実施例において、第１周波数帯域の周波数上限が、第２周波数帯域の周波数下限未満である。
【００１９】
オプションとする実施例において、第２周波数帯域はｎ個あり、各々の第２周波数帯域は、それぞれの所定の条件に対応される。
【００２０】
オプションとする実施例において、参考信号は、
端末デバイスに利用される特定参考信号、ＤＭＲＳ（ｄｅｍｏｄｕｌａｔｉｏｎ ｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅ ｓｉｇｎａｌ）のような参考信号の中の少なくとも一つを含む。
【００２１】
本発明の実施例に係る第３の態様によると、参考信号送信方法を提供する。
上記方法は、
端末デバイスが、第１ネットワークアクセスデバイスと第１周波数帯域を利用して通信するステップと、
端末デバイスが、第１周波数帯域を利用した通信が所定の条件を満たすか否かを検出するステップと、
端末デバイスの第１周波数帯域を利用した通信が所定の条件を満たすと、第２周波数帯域を利用して参考信号を送信するステップと
を含み、
ここで、第１周波数帯域と第２周波数帯域とは互いに異なる。
【００２２】
オプションとする実施例において、所定の条件は、
第２信号の信号強度が所定の強度より大きいこと、
第２信号の受信パワーが所定のパワーより大きいこと、
第２信号の受信品質が所定の品質より大きいこと、
第２信号のエラー率が所定の値未満であること
の中の少なくとも一つを含み、
ここで、第２信号は、第１ネットワークアクセスデバイスが第１周波数帯域を利用して送信した信号である。
【００２３】
オプションとする実施例において、所定の条件は、
端末デバイスが第１周波数帯域を使用して通信する際の第１地理位置と所定のネットワークアクセスデバイスの第２地理位置との間の距離が所定の閾値未満であること、
或いは、
端末デバイスが第１周波数帯域を使用して通信する際の第１地理位置が、所定のネットワークアクセスデバイスによって特定した領域である所定の領域内に位置すること
を含み、
ここで、所定のネットワークアクセスデバイスは、第２周波数帯域をサポートするネットワークアクセスデバイスである。
【００２４】
オプションとする実施例において、所定の条件は、
端末デバイスが第１周波数帯域を利用して信号を送信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
端末デバイスが第１周波数帯域を利用して信号を送信する際に使用されたＭＩＭＯアンテナのアンテナ位置が所定の位置を満たすこと、
或いは、
端末デバイスが第１周波数帯域を利用して信号を送信する際に使用されたＭＩＭＯアンテナのアンテナ数が所定の数を超えるし、且つ、アンテナ位置が所定の位置を満たすこと
を含み、
ここで、アンテナ位置は、使用したＭＩＭＯアンテナのＭＩＭＯアンテナアレーに対する位置である。
【００２５】
オプションとする実施例において、所定の条件は、
端末デバイスが受信した第１定位信号の信号受信強度が第１強度未満であること、
或いは、
端末デバイスが受信した第１定位信号の信号受信強度が第１強度未満であり、且つ、第１ネットワークアクセスデバイスが受信した第２定位信号の信号受信強度が第２強度未満であること、
或いは、
端末デバイスが受信した第１定位信号の信号受信強度と第１ネットワークアクセスデバイスが受信した第２定位信号の信号受信強度との間の差分が所定の差分未満であること
を含み、
ここで、第１定位信号は、端末デバイスが第１周波数帯域を使用して通信する際に受信した定位信号である。
【００２６】
オプションとする実施例において、第１周波数帯域の周波数上限が、第２周波数帯域の周波数下限未満である。
【００２７】
オプションとする実施例において、第２周波数帯域はｎ個あり、各々の第２周波数帯域は、それぞれの所定の条件に対応される。
【００２８】
本発明の実施例に係る第４の態様によると、シグナリング送信装置を提供する。
【００２９】
上記装置は、
端末デバイスの第１周波数帯域を利用した通信が所定の条件を満たすか否かを検出する処理モジュールと、
第１周波数帯域を利用した通信が所定の条件を満たすと、端末デバイスが第２周波数帯域を利用して参考信号を送信するように指示するための所定のシグナリングを、端末デバイスに送信する送信モジュールと
を備え、
ここで、第１周波数帯域と第２周波数帯域とは互いに異なる。
【００３０】
オプションとする実施例において、所定の条件は、
第１信号の信号強度が所定の強度より大きいこと、
第１信号の受信パワーが所定のパワーより大きいこと、
第１信号の受信品質が所定の品質より大きいこと、
第１信号のエラー率が所定の値未満であること
の中の少なくとも一つを含み、
ここで、第１信号は、端末デバイスが第１周波数帯域を利用して送信した信号である。
【００３１】
オプションとする実施例において、所定の条件は、
端末デバイスが第１周波数帯域を使用して通信する際の第１地理位置と所定のネットワークアクセスデバイスの第２地理位置との間の距離が所定の閾値未満であること、
或いは、
端末デバイスが第１周波数帯域を使用して通信する際の第１地理位置が、所定のネットワークアクセスデバイスによって特定した領域である所定の領域内に位置すること
を含み、
ここで、所定のネットワークアクセスデバイスは、第２周波数帯域をサポートするネットワークアクセスデバイスである。
【００３２】
オプションとする実施例において、所定の条件は、
第１信号を受信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
第１信号を受信する際に使用されたＭＩＭＯアンテナのアンテナ位置が所定の位置を満たすこと、
或いは、
第１信号を受信する際に使用されたＭＩＭＯアンテナのアンテナ数が所定の数を超えるし、且つ、アンテナ位置が所定の位置を満たすこと
を含み、
ここで、第１信号は、端末デバイスが第１周波数帯域を利用して送信した信号であり、アンテナ位置は、使用したＭＩＭＯアンテナのＭＩＭＯアンテナアレーに対する位置である。
【００３３】
オプションとする実施例において、所定の条件は、
第２ネットワークアクセスデバイスが受信した、端末デバイスにより第１周波数帯域を利用して送信した信号の信号パラメータが第１条件を満たすこと、
或いは、
第２ネットワークアクセスデバイスが受信した、端末デバイスにより第１周波数帯域を利用して送信した信号の信号パラメータが第２条件を満たし、且つ、シグナリング送信装置が受信した、端末デバイスにより第１周波数帯域を利用して送信した信号の信号パラメータが第３条件を満たすこと
を含み、
ここで、信号パラメータは、信号強度、信号パワー、信号品質及び信号エラー率の中の少なくとも一つを含む。
【００３４】
オプションとする実施例において、所定の条件は、
端末デバイスが受信した第１定位信号の信号受信強度が第１強度未満であること、
或いは、
端末デバイスが受信した第１定位信号の信号受信強度が第１強度未満であり、且つ、シグナリング送信装置が受信した第２定位信号の信号受信強度が第２強度未満であること、
或いは、
端末デバイスが受信した第１定位信号の信号受信強度とシグナリング送信装置が受信した第２定位信号の信号受信強度との間の差分が所定の差分未満であること
を含み、
ここで、第１定位信号は、端末が第１周波数帯域を使用して通信する際に受信した定位信号である。
【００３５】
オプションとする実施例において、第１周波数帯域の周波数上限が、第２周波数帯域の周波数下限未満である。
【００３６】
オプションとする実施例において、第２周波数帯域はｎ個あり、各々の第２周波数帯域は、それぞれの所定の条件に対応される。
【００３７】
オプションとする実施例において、参考信号は、
端末デバイスに利用される特定参考信号、ＤＭＲＳ（ｄｅｍｏｄｕｌａｔｉｏｎ ｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅ ｓｉｇｎａｌ）のような参考信号の中の少なくとも一つを含む。
【００３８】
本発明の実施例に係る第５の態様によると、参考信号送信装置を提供する。
【００３９】
上記装置は、
ネットワークアクセスデバイスと第１周波数帯域を利用して通信する処理モジュールと、
ネットワークアクセスデバイスにより第１周波数帯域を利用した通信が所定の条件を満たすと送信した所定の命令を受信する受信モジュールと、
第２周波数帯域を利用して参考信号を送信する送信モジュールと
を備え、
ここで、第１周波数帯域と第２周波数帯域とは互いに異なる。
【００４０】
オプションとする実施例において、第１周波数帯域の周波数上限が、第２周波数帯域の周波数下限未満である。
【００４１】
オプションとする実施例において、第２周波数帯域はｎ個あり、各々の第２周波数帯域は、それぞれの所定の条件に対応される。
【００４２】
オプションとする実施例において、参考信号は、
端末デバイスに利用される特定参考信号、ＤＭＲＳ（ｄｅｍｏｄｕｌａｔｉｏｎ ｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅ ｓｉｇｎａｌ）のような参考信号の中の少なくとも一つを含む。
【００４３】
本発明の実施例に係る第６の態様によると、参考信号送信装置を提供する。
【００４４】
上記装置は、
第１ネットワークアクセスデバイスと第１周波数帯域を利用して通信する処理モジュールと、
第１周波数帯域を利用した通信が所定の条件を満たすか否かを検出する処理モジュールと、
第１周波数帯域を利用した通信が所定の条件を満たすと、第２周波数帯域を利用して参考信号を送信する送信モジュールと
を備え、
ここで、第１周波数帯域と第２周波数帯域とは互いに異なる。
【００４５】
オプションとする実施例において、所定の条件は、
第２信号の信号強度が所定の強度より大きいこと、
第２信号の受信パワーが所定のパワーより大きいこと、
第２信号の受信品質が所定の品質より大きいこと、
第２信号のエラー率が所定の値未満であること
の中の少なくとも一つを含み、
ここで、第２信号は、第１ネットワークアクセスデバイスが第１周波数帯域を利用して送信した信号である。
【００４６】
オプションとする実施例において、所定の条件は、
参考信号送信装置が第１周波数帯域を使用して通信する際の第１地理位置と所定のネットワークアクセスデバイスの第２地理位置との間の距離が所定の閾値未満であること、
或いは、
参考信号送信装置が第１周波数帯域を使用して通信する際の第１地理位置が、所定のネットワークアクセスデバイスによって特定した領域である所定の領域内に位置すること
を含み、
ここで、所定のネットワークアクセスデバイスは、第２周波数帯域をサポートするネットワークアクセスデバイスである。
【００４７】
オプションとする実施例において、所定の条件は、
参考信号送信装置第１周波数帯域を利用して信号を送信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
参考信号送信装置第１周波数帯域を利用して信号を送信する際に使用されたＭＩＭＯアンテナのアンテナ位置が所定の位置を満たすこと、
或いは、
参考信号送信装置第１周波数帯域を利用して信号を送信する際に使用されたＭＩＭＯアンテナのアンテナ数が所定の数を超えるし、且つ、アンテナ位置が所定の位置を満たすこと
を含み、
ここで、アンテナ位置は、使用したＭＩＭＯアンテナのＭＩＭＯアンテナアレーに対する位置である。
【００４８】
オプションとする実施例において、所定の条件は、
参考信号送信装置が受信した第１定位信号の信号受信強度が第１強度未満であること、
或いは、
参考信号送信装置が受信した第１定位信号の信号受信強度が第１強度未満であり、且つ、第１ネットワークアクセスデバイスが受信した第２定位信号の信号受信強度が第２強度未満であること、
或いは、
参考信号送信装置が受信した第１定位信号の信号受信強度と第１ネットワークアクセスデバイスが受信した第２定位信号の信号受信強度との間の差分が所定の差分未満であること
を含み、
ここで、第１定位信号は、参考信号送信装置が第１周波数帯域を使用して通信する際に受信した定位信号である。
【００４９】
オプションとする実施例において、第１周波数帯域の周波数上限が、第２周波数帯域の周波数下限未満である。
【００５０】
オプションとする実施例において、第２周波数帯域はｎ個あり、各々の第２周波数帯域は、それぞれの所定の条件に対応される。
【００５１】
本発明の実施例に係る第７の態様によると、ネットワークアクセスデバイスを提供する。
【００５２】
上記デバイスは、
プロセッサと、
プロセッサが実行可能な命令を記憶するためのメモリと
を備え、
プロセッサは、
端末デバイスの第１周波数帯域を利用した通信が所定の条件を満たすか否かを検出し、
第１周波数帯域を利用した通信が所定の条件を満たすと、端末デバイスが第２周波数帯域を利用して参考信号を送信するように指示するための所定のシグナリングを、端末デバイスに送信する
ように構成され、
ここで、第１周波数帯域と第２周波数帯域とは互いに異なる。
【００５３】
本発明の実施例に係る第８の態様によると、端末デバイスを提供する。
【００５４】
上記デバイスは、
プロセッサと、
プロセッサが実行可能な命令を記憶するためのメモリと
を備え、
プロセッサは、
ネットワークアクセスデバイスと第１周波数帯域を利用して通信し、
ネットワークアクセスデバイスにより第１周波数帯域を利用した通信が所定の条件を満たすと送信した所定の命令を受信し、
第２周波数帯域を利用して参考信号を送信する
ように構成され、
ここで、第１周波数帯域と第２周波数帯域とは互いに異なる。
【００５５】
本発明の実施例に係る第９の態様によると、端末デバイスを提供する。
上記デバイスは、
プロセッサと、
プロセッサが実行可能な命令を記憶するためのメモリと
を備え、
プロセッサは、
第１ネットワークアクセスデバイスと第１周波数帯域を利用して通信し、
第１周波数帯域を利用した通信が所定の条件を満たすか否かを検出し、
第１周波数帯域を利用した通信が所定の条件を満たすと、第２周波数帯域を利用して参考信号を送信する
ように構成され、
ここで、第１周波数帯域と第２周波数帯域とは互いに異なる。
【００５６】
本発明の実施例に係る第１０の態様によると、モバイル通信システムを提供する。
【００５７】
上記モバイル通信システムは、
ネットワークアクセスデバイスと、端末デバイスとを備え、
ネットワークアクセスデバイスは、第４の態様及びいずれか一つのオプションとする実施態様に記載の装置を含み、
端末デバイスは、第５の態様及びいずれか一つのオプションとする実施態様に記載の装置を含む。
【００５８】
本発明の実施例に係る第１１の態様によると、モバイル通信システムを提供する。
上記モバイル通信システムは、
ネットワークアクセスデバイスと、端末デバイスとを備え、
端末デバイスは、第６の態様及びいずれか一つのオプションとする実施態様に記載の装置を含む。
【００５９】
本発明の実施例に係る第１２の態様によると、モバイル通信システムを提供する。
【００６０】
上記モバイル通信システムは、
ネットワークアクセスデバイスと、端末デバイスとを備え、
ネットワークアクセスデバイスは、第７の態様に記載のネットワークアクセスデバイスであり、
端末デバイスは、第８の態様に記載の端末デバイスである。
【００６１】
本発明の実施例に係る第１３の態様によると、モバイル通信システムを提供する。
上記モバイル通信システムは、
ネットワークアクセスデバイスと、端末デバイスとを備え、
端末デバイスは、第９の態様に記載の端末デバイスである。
【発明の効果】
【００６２】
本発明の実施例が提供する構成の有益な効果は以下のとおりである。
【００６３】
端末デバイスとネットワークアクセスデバイスとの間の第１周波数帯域を利用した通信が所定の条件を満たすと、端末デバイスにより第２周波数帯域を利用して参考信号を送信することにより、ネットワーキング環境がより複雑である場合に、ネットワークアクセスデバイスが参考信号を送信する効率が低下する問題を解決して、端末デバイスにより参考信号を送信できるようになった上に、第１周波数帯域の具体的な通信の情況によって、選択的に、第２周波数帯域を利用して参考信号を送信できるようになって、端末デバイスが参考信号を送信する効率を改善して、端末デバイスが第２周波数帯域を利用して参考信号を送信する時にかかる消費電力を節約する効果を得た。
【００６４】
以上の統括な記述と以下の細部記述は、ただ例示的なものであり、本発明を制限するものではないと、理解するべきである。
【図面の簡単な説明】
【００６５】
ここでの図面は、明細書に合併されて本明細書の一部を構成して本発明に合致する実施例を示し、明細書とともに本発明の原理の説明するに用いられる。
【図１】例示的な一実施例に係るモバイル通信システムの構成を示す模式図である。
【図２】例示的な一実施例に係るネットワークアクセスデバイスの構成を示す模式図である。
【図３】例示的な一実施例に係る端末デバイスの構成を示す模式図である。
【図４】例示的な一実施例に係る第１周波数帯域と第２周波数帯域との分割を示す模式図である。
【図５】例示的な一実施例に係る参考信号送信方法を示すフローチャートである。
【図６】例示的なもう一実施例に係る参考信号送信方法を示すフローチャートである。
【図７Ａ】例示的なもう一実施例に係る参考信号送信方法を示すフローチャートである。
【図７Ｂ】図７Ａに示す実施例によって提供する参考信号送信方法を具体的に実施する時を示す模式図である。
【図７Ｃ】図７Ａに示す実施例によって提供する参考信号送信方法を具体的に実施する時を示すもう一模式図である。
【図８】例示的なもう一実施例に係る参考信号送信方法を示すフローチャートである。
【図９Ａ】例示的なもう一実施例に係る参考信号送信方法を示すフローチャートである。
【図９Ｂ】図９Ａに示す実施例によって提供する参考信号送信方法を具体的に実施する時を示す模式図である。
【図１０】例示的なもう一実施例に係る参考信号送信方法を示すフローチャートである。
【図１１】例示的なもう一実施例に係る参考信号送信方法を示すフローチャートである。
【図１２】例示的なもう一実施例に係る参考信号送信方法を示すフローチャートである。
【図１３】例示的なもう一実施例に係る参考信号送信方法を示すフローチャートである。
【図１４】例示的なもう一実施例に係る参考信号送信方法を示すフローチャートである。
【図１５】例示的なもう一実施例に係る参考信号送信方法を示すフローチャートである。
【図１６】例示的な一実施例に係る参考信号送信装置を示すフロック図である。
【図１７】例示的な一実施例に係る参考信号送信装置を示すフロック図である。
【図１８】例示的な一実施例に係る参考信号送信装置を示すフロック図である。
【発明を実施するための形態】
【００６６】
ここで、例示的な実施例を詳細に説明する。また、説明中の例は、図面に示している。以下の記述において、図面を説明する際に特に説明しない場合、異なる図面中の同一のシンボルは、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００６７】
本明細書で言及する「ユニット」とは、メモリ中に保存されたある機能を実現できるプログラム、或いは、命令であり、本明細書中で言及する「モジュール」とは、ロジックによって割り当てた機能的の構成であり、上記「モジュール」は、ハードウェアのみによって実現されてもよいし、或いは、ハードウェアとソフトウェアの組合せによって実現されてもよい。
【００６８】
本明細書で言及する「複数」とは、二つ、或いは、二つ以上である。「及び/或いは」は、関連する対象の関連関係であり、例えば、Ａ及び/或いはＢは、Ａのみ存在する場合、ＡとＢがすべて存在する場合、Ｂのみ存在する場合のような三つの場合を含む。記号「/」は、一般的に、前後の関連対象が、「或いは」の関係であることを示す。
【００６９】
例えば、ＬＴＥシステムのような、第４世代（４−ＧｅｎｅｒＡｔｉｏｎ、４Ｇ）モバイル通信システムにおいて、ネットワークアクセスデバイスは、一般的に、団地を単位として、ある団地に居住しているＵＥに無線通信サービスを提供する。４Ｇシステムにおいて、ネットワークアクセスデバイスとは、一般的に、ｅＮＢを示す。
【００７０】
モバイル通信ネットワークのネットワーキング技術の発展に伴い、ｅＮＢ及びサポートデバイスの具体的な実現方法は、マクロ基地局、マイクロ基地局、中継器、等を含むが、これに限定されない。マクロ基地局は、一般的に、タワーｅＮＢである、各マクロ基地局のカバー範囲は、数１０キロに達する。マイクロ基地局は、建物の中に配置される。集中エリア、或いは、室内に配置された小型の基地局は、カバー範囲が小さく、主に、マクロ基地局がカバーできない範囲に配置される。中継器は、信号中継器である。基地局により送信した無線周波数信号は、必要によって、拡大する必要がある。中継器自身は、容量を提供しない。中継器の応用環境は、主に、カバーできないし、且つ、容量の要求がより小さい領域を含む。マクロ基地局、マイクロ基地局及び中継器、等の形式のｅＮＢから構成された無線アクセスネットワーク（ＲＡｄｉｏ ＡＣＣｅｓｓ Ｎｅｔｗｏｒｋ、ＲＡＮ）は、もう、典型的な、且つ、規則性のあるセルラーネットワークではない。そのため、ｅＮＢにより参考信号を送信し、また、ＵＥによりネットワークを測定するような伝統的のメカニズムを、ＵＥにより参考信号を送信し、また、ｅＮＢによりネットワークを測定するようなメカニズムに、変更しようとする改良方法が提案されている。当該提案によっては、ＵＥは、「移動できる基地局」に見なされて、各種の参考信号を能動的に送信し、ネットワーク測定はｅＮＢにより行うようになる。
【００７１】
発明者は、技術改良の過程において、第５世代（５−ＧｅｎｅｒＡｔｉｏｎ、５Ｇ）モバイル通信システムにおいて、サポートする帯域がもっと多くなって、５Ｇシステムは６ＧＨＺ以下の伝統の帯域（低頻度帯域である４Ｇシステムがサポートする２ＧＨＺ帯域）をサポートするほか、さらに、６ＧＨＺ以上の高頻度帯域（例えば、２０ＧＨＺ＋）をサポートする必要がある。低頻度帯域と高頻度帯域との間の転送特性の差異が大きいため、高頻度帯域を採用して送信した無線信号は早く減衰されて、バッテリーを採用する端末デバイスにより「高頻度帯域＋低頻度帯域」を採用して参考信号を送信すると、参考信号の送信効率が極めて低い。そのうえ、各々の端末デバイスの間で干渉が発生し易い。また、端末デバイスのバッテリーの電量が、速くなくなる。一般的に、ＵＥがｅＮＢへ信号を伝送する方向を「アップリンク」とし、ｅＮＢがＵＥへ信号を伝送する方向を「ダウンリンク」とする。
【００７２】
図１は、例示的な一実施例に係るモバイル通信システムの構成を示す模式図である。上記モバイル通信システムは、ネットワークアクセスデバイス１２０、及び、端末デバイス１４０を含む。
【００７３】
ネットワークアクセスデバイス１２０は、ダウンリンクの参考信号を送信し、アップリンク参考信号を受信し、ダウンリンクデータ、或いは、命令を送信し、また、アップリンクデータ、或いは、命令を受信する機能を有する。互いに異なるモバイル通信システムにおいて、ネットワークアクセスデバイス１２０は、同一な機能、或いは、類似な機能を有するが、互いに異なる名称、或いは、互いに異なる具体的な実現態様を有してもよい。オプションとして、ネットワークアクセスデバイス１２０は、グローバルモバイル通信システム（ＧｌｏＢＡｌ Ｓｙｓｔｅｍ ｆｏｒ ＭｏＢｉｌｅ ＣｏｍｍｕｎｉＣＡｔｉｏｎ、ＧＳＭ）、或いは、シンボル分割多元接続（Ｃｏｄｅ Ｄｉｖｉｓｉｏｎ Ｍｕｌｔｉｐｌｅ ＡＣＣｅｓｓ、ＣＤＭＡ）の中の基地局（ＢＴＳ、ＢＡｓｅ ＴｒＡｎｓＣｅｉｖｅｒ ＳｔＡｔｉｏｎ）である。オプションとして、ネットワークアクセスデバイスは、汎用モバイル通信システム（ＵｎｉｖｅｒｓＡｌ ＭｏＢｉｌｅ ＴｅｌｅＣｏｍｍｕｎｉＣＡｔｉｏｎｓ Ｓｙｓｔｅｍ、ＵＭＴＳ）中の基地局（ＮｏｄｅＢ）である。オプションとして、ネットワークアクセスデバイスは、ロングタームエボリューション（ＬｏｎＧ Ｔｅｒｍ Ｅｖｏｌｕｔｉｏｎ、ＬＴＥ）中のエボリューションタイプの基地局（ｅｖｏｌｕｔｉｏｎＡｌ Ｎｏｄｅ Ｂ、ｅＮＢ、或いは、ｅ−ＮｏｄｅＢ）である。実際のネットワーキングにおいて、ネットワークアクセスデバイス１２０の具体的な実現態様は、マクロ基地局、マイクロ基地局、ピコ基地局、中継器、等である。本発明の実施例において、ネットワークアクセスデバイス１２０の具体的な数量及び具体的な位置に対して、限定しない。
【００７４】
端末デバイス１４０は、アップリンク参考信号を送信し、ダウンリンクの参考信号を受信し、アップリンクデータ、或いは、命令を送信し、また、ダウンリンクデータ、或いは、命令を受信する機能を有する。互いに異なるモバイル通信システムにおいて、端末デバイス１４０は、同一な機能、或いは、類似な機能を有するが、互いに異なる名称、或いは、互いに異なる具体的な実現態様を有する。オプションとして、端末デバイス１４０は、加入者ユニット（ＳｕＢｓＣｒｉＢｅｒ Ｕｎｉｔ）、加入者局（ＳｕＢｓＣｒｉＢｅｒ ＳｔＡｔｉｏｎ）、モバイル局（ＭｏＢｉｌｅ ＳｔＡｔｉｏｎ）、モバイル場（ＭｏＢｉｌｅ）、遠隔局（Ｒｅｍｏｔｅ ＳｔＡｔｉｏｎ）、アクセスポイント（ＡＣＣｅｓｓ Ｐｏｉｎｔ）、遠隔端末（Ｒｅｍｏｔｅ ＴｅｒｍｉｎＡｌ）、アクセス端末（ＡＣＣｅｓｓ ＴｅｒｍｉｎＡｌ）、ユーザ端末（Ｕｓｅｒ ＴｅｒｍｉｎＡｌ）、ユーザ代理（Ｕｓｅｒ ＡＧｅｎｔ）、ユーザデバイス（Ｕｓｅｒ ＤｅｖｉＣｅ）、或いは、ユーザ機器（Ｕｓｅｒ Ｅｑｕｉｐｍｅｎｔ、ＵＥ）である。実際のネットワーキングにおいて、端末デバイス１４０の具体的な実現態様は、携帯電話、タブレットＰＣ、スマート家電、スマート計器、物事インターネットデバイス、車両インターネットデバイス、等である。本発明の実施例は、端末デバイス１４０の具体的な数量及び具体的な位置に対して、限定しない。
【００７５】
一般的に、端末デバイス１４０は、あるネットワークアクセスデバイス１２０によってサービスが提供される団地内に位置される。端末デバイス１４０と上記ネットワークアクセスデバイス１２０とは、通信を行うことになる。本発明の実施例において、通信は、一方向の通信であってもよいし、両方の間の二つの方向の通信であってもよい。例えば、端末デバイス１４０によりネットワークアクセスデバイス１２０にアップリンク参考信号を送信した場合、ネットワークアクセスデバイス１２０が上記アップリンク参考信号を受信されなかったか、又は、応答しなかったとしても、端末デバイス１４０とネットワークアクセスデバイス１２０との間で通信を行ったことと見なす。また、例えば、ネットワークアクセスデバイス１２０端末によりデバイスに１４０にダウンリンクの参考信号を送信した場合、端末デバイス１４０が上記ダウンリンクの参考信号を受信されなかったか、又は、応答しなかったとしても、端末デバイス１４０とネットワークアクセスデバイス１２０との間で通信を行ったことと見なす。また、例えば、端末デバイス１４０により、ネットワークアクセスデバイス１２０のディスパッチによって、ネットワークアクセスデバイス１２０にアップリンクデータを送信して、ネットワークアクセスデバイス１２０が受信できた場合も、端末デバイス１４０とネットワークアクセスデバイス１２０との間で通信を行ったことと見なす。
【００７６】
オプションとして、ネットワークアクセスデバイス１２０と端末デバイス１４０とは、無線搬送波を利用して通信する。無線搬送波は、多数の帯域に対応される。例えば５Ｇのモバイル通信システムにおいて、無線搬送波は、低頻度帯域、および、少なくとも一個高頻度帯域に対応される。低頻度帯域は、６ＧＨＺ未満の帯域であり、高頻度帯域は、例えば、１０ＧＨＺ帯域、２０ＧＨＺ帯域、等のような６ＧＨＺ以上の帯域である。高頻度帯域の無線搬送波は、伝送される過程において、速度が速く減衰される。即ち、同一のエネルギーを有する信号が、低頻度帯域を利用して伝送される場合は、伝送できる距離がより長く、高頻度帯域を利用して伝送される場合は、伝送できる距離がより短い。
【００７７】
各ネットワークアクセスデバイス１２０は、少なくとも一つ帯域の通信をサポートする。例えば、マクロ基地局は、全ての利用できる帯域の通信をサポートする。第１マイクロ基地局は、低頻度帯域、及び、１つの高頻度帯域の通信をサポートし、第２マイクロ基地局は、１つの高頻度帯域の通信のみをサポートする。
【００７８】
図２は、例示的な一実施例に係るネットワークアクセスデバイス１２０の構成を示す模式図である。上記ネットワークアクセスデバイス１２０は、プロセッサ２１、メモリ２２、送信機２３及び受信機２６を含む。
【００７９】
プロセッサ２１とメモリ２２とは、互いに接続されている。
【００８０】
プロセッサ２１は、一つ以上の処理チップを含み、ソフトウェアプログラム及びユニットを実行することにより、各機能ＡＰＰ及び情報処理を実行させる。
【００８１】
メモリ２２は、ソフトウェアプログラム及びユニットを保存する。メモリ２２は、オペレーティング・システム２４、および、少なくとも一つの機能に必要なアプリケーションプログラムユニット２５を保存する。
【００８２】
アプリケーションプログラムユニット２５は、処理ユニット及び送信ユニットを含む。処理ユニットは、さらに、端末デバイスの第１周波数帯域を利用した通信が所定の条件を満たすか否かを検出し、送信ユニットは、第１周波数帯域を利用した通信が所定の条件を満たすと、端末デバイスが第２周波数帯域を利用して参考信号を送信するように指示するための所定のシグナリングを、端末デバイスに送信する、ここで、第１周波数帯域と第２周波数帯域とは互いに異なる。
【００８３】
なお、メモリ２２は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００８４】
送信機２３は、モデムユニット、及び、多重入出力（Ｍｕｌｔｉｐｌｅ Ｉｎｐｕｔ Ｍｕｌｔｉｐｌｅ Ｏｕｔｐｕｔ、ＭＩＭＯ）アンテナを含む。ＭＩＭＯアンテナは、複数のアンテナポートを利用して送受信するアンテナをサポートする。オプションとして、ＭＩＭＯアンテナは、二つの送信アンテナを少なくとも含む。オプションとして、送信機２３は、参考信号に対するモデム及び送信を実現する。
【００８５】
受信機２６は、送信機２３と同一な構成、或いは、類似な構成を含む。オプションとして、受信機２６は、モデムユニット及びＭＩＭＯアンテナを含み、ＭＩＭＯアンテナは、二つの受信アンテナを少なくとも含む。
【００８６】
同業者は、図２に示したネットワークアクセスデバイス１２０の構成は、ネットワークアクセスデバイス１２０を限定することなく、もっと多い部品、もっと少ない部品、これら部品の組合せ、或いは、互いに異なる部品によって構成されてもよいことを理解すべきである。
【００８７】
図３は、例示的な一実施例に係る端末デバイス１４０の構成を示す模式図である。上記端末デバイス１４０は、プロセッサ３１、メモリ３２、受信機３３及び送信機３６を含む。
【００８８】
プロセッサ３１とメモリ３２とは、互いに接続されている。
【００８９】
プロセッサ３１は、一つ以上の処理チップを含み、ソフトウェアプログラム及びユニットを実行することにより、各機能ＡＰＰ及び情報処理を実行させる。
【００９０】
メモリ３２は、ソフトウェアプログラム及びユニットを保存する。メモリ３２は、さらに、オペレーティング・システム３４、および、少なくとも一つの機能に必要なアプリケーションプログラムユニット３５を保存する。
【００９１】
アプリケーションプログラムユニット３６は、処理ユニット、受信ユニット及び送信ユニットを含む。処理ユニットは、ネットワークアクセスデバイスと第１周波数帯域を利用して通信し、受信ユニットは、ネットワークアクセスデバイスにより第１周波数帯域を利用した通信が所定の条件を満たすと送信した所定の命令を受信し、送信ユニットは、第２周波数帯域を利用して参考信号を送信し、ここで、第１周波数帯域と第２周波数帯域とは互いに異なる。
【００９２】
或いは、アプリケーションプログラムユニット３６は、第１ネットワークアクセスデバイスと第１周波数帯域を利用して通信する処理ユニットと、第１周波数帯域を利用した通信が所定の条件を満たすか否かを検出する処理ユニットと、第１周波数帯域を利用した通信が所定の条件を満たすと、第２周波数帯域を利用して参考信号を送信する送信ユニットとを含んでもよく、ここで、第１周波数帯域と第２周波数帯域とは互いに異なる。
【００９３】
なお、メモリ３２は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００９４】
受信機３３は、モデムユニット、及び、多重入出力（Ｍｕｌｔｉｐｌｅ Ｉｎｐｕｔ Ｍｕｌｔｉｐｌｅ Ｏｕｔｐｕｔ、ＭＩＭＯ）アンテナを含む。ＭＩＭＯアンテナは、複数のアンテナポートを利用して送受信するアンテナをサポートする。オプションとして、ＭＩＭＯアンテナは、二つの受信アンテナを少なくとも含む。オプションとして、受信機３３は、参考信号に対するモデム及び受信を実現する。
【００９５】
送信機３６は、受信機３３と同一な構成、或いは、類似な構成を含む。オプションとして、送信機３６は、モデムユニット及びＭＩＭＯアンテナを含み、ＭＩＭＯアンテナは、二つの送信アンテナを少なくとも含む。
【００９６】
同業者は、図３に示した端末デバイス１４０の構成は、端末デバイス１４０を限定することなく、もっと多い部品、もっと少ない部品、これら部品の組合せ、或いは、互いに異なる部品によって構成されてもよいことを理解すべきである。
【００９７】
図４は、例示的な一実施例に係る第１周波数帯域と第２周波数帯域との分割を示す模式図である。オプションとして、本発明の実施例に係る第１周波数帯域４２は、低頻度帯域に属し、第２周波数帯域４４は高頻度帯域に属する。第２周波数帯域４４は、一つ以上であってもよい。言い換えると、帯域を分割する方法によって、複数の第２周波数帯域４４は、周波数領域において隣接されているか、或いは、二つの第２周波数帯域４４が周波数領域において互いに間隔をあけているか、或いは、二つの第２周波数帯域４４が周波数領域において互いに間隔をあけているし、且つ、これら二つの第２周波数帯域４４同士の間でその他の第２周波数帯域が存在しないでもよい。
【００９８】
周波数帯域は、互いに異なる実施例において、周波数帯と言われてもよい。各周波数帯域は、例えば、１５ＫＨＺ、３０ＫＨＺ、６０ＫＨＺ、等のような同一の周波数幅を有してもよい。本発明の実施例は、各周波数帯域の幅の大きさに対して、限定しなく、具体的な実施例によって決まれる。
【００９９】
本発明の実施例では、第１周波数帯域が低頻度帯域に属し、第２周波数帯域が高頻度帯域に属する例を挙げて説明するが、これに限定されないことを説明する必要がある。オプションとする一部の実施例において、第１周波数帯域が高頻度帯域に属し、第２周波数帯域が低頻度帯域に属してもよい。
【０１００】
図５は、例示的な一実施例に係る参考信号送信方法を示すフローチャートである。本発明の実施例は、上記参考信号送信方法が図１に示したモバイル通信システム中に応用される例を挙げて説明する。上記参考信号送信方法は、以下のステップを含む。
【０１０１】
ステップ５０１において、端末デバイスにより、ネットワークアクセスデバイスと第１周波数帯域を利用して通信する。
【０１０２】
オプションとして、第１周波数帯域は、低頻度帯域に属する。「通信」は、端末デバイスによりネットワークアクセスデバイスに信号を送信すること、ネットワークアクセスデバイスにより端末デバイスに信号を送信すること、端末デバイスによりネットワークアクセスデバイスに第１信号を送信すること、ネットワークアクセスデバイスにより第１信号に基づいて端末デバイスに第２信号をフィードバックすること、ネットワークアクセスデバイス端末によりデバイスに第３信号を送信すること、端末デバイスにより第３信号に基づいて端末デバイスに第４信号をフィードバックすること、等の中の少なくとも一つを含む。オプションとして、信号は、参考信号、データ、等であってもよく、本発明の実施例では、信号の種類、或いは、具体的な内容に対して、具体的に限定しない。
【０１０３】
ステップ５０２において、ネットワークアクセスデバイスにより、端末デバイスとの第１周波数帯域を利用した通信が所定の条件を満たすか否かを検出する。
【０１０４】
所定の条件は、端末デバイスとネットワークアクセスデバイスとの間の通信状態を判断するための条件である。オプションとして、第１周波数帯域が低頻度帯域に属し、且つ、第２周波数帯域が高頻度帯域に属する場合、第１周波数帯域を利用した通信状態が所定の条件よりよいと、端末デバイスをトリガして第２周波数帯域を利用して通信するようにする。
【０１０５】
ステップ５０３において、ネットワークアクセスデバイスにより、第１周波数帯域を利用した通信が所定の条件を満たすと、端末デバイスに所定の命令を送信する。
【０１０６】
上記所定の命令は、端末デバイスが第２周波数帯域を利用して参考信号を送信するように指示するための命令である。
【０１０７】
オプションとして、上記所定の命令は、専用のシグナリング送信を採用する。オプションとして、上記所定の命令は、既に存在するシグナリング中の所定のビットを採用して送信されてもよい。オプションとして、上記所定の命令は、既に存在するシグナリングのある特定属性を採用して暗示的に示される。例えば、ネットワークアクセスデバイス端末により、デバイスにディスパッチに第２周波数帯域に属する時間-周波数リソースを送信することにより、端末デバイスが第２周波数帯域を利用して参考信号をするように暗示してもよい。
【０１０８】
既に存在するシグナリングとは、２Ｇ/３Ｇ/４Ｇシステム中に既に存在するシグナリングである。
【０１０９】
ステップ５０４において、端末デバイスにより、ネットワークアクセスデバイスが第１周波数帯域を利用した通信が所定の条件を満たす際に送信した所定の命令を受信する。
【０１１０】
ステップ５０５において、端末デバイスにより、第２周波数帯域を利用して参考信号を送信する。
【０１１１】
本発明の実施例において、端末デバイスが送信するアップリンク参考信号の種類は、復調用参考信号（ＤｅｍｏｄｕｌＡｔｉｏｎ ＲｅｆｅｒｅｎＣｅ ＳｉＧｎＡｌ、ＤＭＲＳ）、検索用参考信号（ＳｏｕｎｄｉｎＧ ＲｅｆｅｒｅｎＣｅ ＳｉＧｎＡｌ、ＳＲＳ）及びチャネル状態情報参考信号（ＣＳＩ ＲｅｆｅｒｅｎＣｅ ＳｉＧｎＡｌ 、ＣＳＩ−ＲＳ）に限定されない。さらに、端末デバイスにより、新たに追加したアップリンク参考信号を能動的に送信してもよく、これら新たに追加したアップリンク参考信号は、ＬＴＥ中のあるダウンリンクの参考信号と同一である機能、或いは、類似な機能を有する。例えば、端末デバイスを一つの「移動できる基地局」と見なして、端末デバイスにより、団地特定参考信号（Ｃｅｌｌ−ｓｐｅＣｉｆｉＣ ＲｅｆｅｒｅｎＣｅ ＳｉＧｎＡｌ、ＣＲＳ）を送信してもよい。それで、本発明の実施例の中のアップリンク参考信号とは、端末デバイスにより送信するいずれかの参考信号であってもよく、これら参考信号は、チャネルの評価、チャネル状態の測定、等に利用される信号である。
【０１１２】
オプションとして、ネットワークアクセスデバイスは、端末デバイスが第２周波数帯域を利用して送信した参考信号を受信し、上記参考信号に基づいて第２周波数帯域中のチャネルに対して、チャネルを評価するか、或いは、チャネル状態情報を測定してもよい。
【０１１３】
上記のように、本実施例によって提供する参考信号送信方法によると、端末デバイスとネットワークアクセスデバイスとの間の第１周波数帯域を利用した通信が所定の条件を満たすと、端末デバイスにより第２周波数帯域を利用して参考信号を送信することにより、ネットワーキング環境がより複雑である場合に、ネットワークアクセスデバイスが参考信号を送信する効率が低下する問題を解決して、端末デバイスにより参考信号を送信できるようになった上に、第１周波数帯域の具体的な通信の情況によって、選択的に、第２周波数帯域を利用して参考信号を送信できるようになって、端末デバイスが参考信号を送信する効率を改善して、端末デバイスが第２周波数帯域を利用して参考信号を送信する時にかかる消費電力を節約する効果を得た。
【０１１４】
オプションとして、「第１周波数帯域を利用して通信する」とは、第１周波数帯域に属する時間-周波数リソースを利用して通信することと見なしてもよい。オプションとして、「第２周波数帯域を利用して参考信号を送信する」とは、第２周波数帯域に属する時間-周波数リソースを利用して通信することと見なしてもよい。
【０１１５】
オプションとして、時間領域リソースは、シンボル（ｓｙｍＢｏｌ）、シンボルグループ（ｓｙｍＢｏｌ Ｇｒｏｕｐ）、スロット(ｓｌｏｔ)、或いは、サブフレーム(ｓｕＢｆｒＡｍｅ)である。ここで、シンボルは、一つのサブ搬送波が位置する周波数領域が１５ＫＨＺであるＬＴＥシステムのシンボルであるか、或いは、一つのサブ搬送波が位置する周波数領域が１５ＫＨＺ以上である通信システムのシンボルである。スロットは、一つのサブ搬送波が位置する周波数領域が１５ＫＨＺであるＬＴＥシステムのスロットであるか、或いは、一つのサブ搬送波が位置する周波数領域が１５ＫＨＺ以上である通信システムのスロットであり、長さは０.５ｍｓ未満であってもよい。サブフレームは、一つのサブ搬送波が位置する周波数領域が１５ＫＨＺであるＬＴＥシステムのサブフレームであるか、或いは、一つのサブ搬送波が位置する周波数領域が１５ＫＨＺ以上である通信システムのサブフレームであってもよく、長さは１ｍｓであってもよい。本実施例では、これに対して限定しない。例えば、一つのサブ搬送波が位置する周波数領域が１５ＫＨＺ以上である周波数領域は、３０ＫＨＺ、６０ＫＨＺ、１２０ＫＨＺであってもおく、本実施例ではこれに対して限定しない。
【０１１６】
オプションとして、周波数領域リソースは、ショート物理リソースブロック（Ｓｈｏｒｔ ＰｈｙｓｉＣＡｌ ＲｅｓｏｕｒＣｅ ＢｌｏＣｋ、ＳＰＲＢ）、ショート物理リソースブロックグループ（Ｓｈｏｒｔ ＰｈｙｓｉＣＡｌ ＲｅｓｏｕｒＣｅ ＢｌｏＣｋ Ｇｒｏｕｐ、ＳＲＢＧ）、ショート仮想リソースブロック（Ｓｈｏｒｔ Ｖｉｒｔｕｌ ＲｅｓｏｕｒＣｅ ＢｌｏＣｋ、ＳＶＲＢ）、サブ搬送波、或いは、サブ搬送波グループである。ここで、ＳＰＲＢ及びＳＶＲＢは、それぞれ、互いに異なる意味のリソースをために割り当てた基本単位である。ＳＰＲＢは、周波数領域では１２個の連続的なサブ搬送波であり、時間領域では１個の伝送時間長さのリソースである。伝送時間長さは、１個のシンボル乃至１４個のシンボル中のいずれかのシンボル数であってもよい。集中的にリソースを割り当てる時には、ＳＶＲＢとＳＰＲＢの定義は同一であり、分布的にリソース割り当てる時には、ＳＶＲＢとＳＰＲＢとは一定の対応関係を有する。ＳＰＲＢ索引とＳＶＲＢ索引とは、互いに異なる。ＳＲＢＧは、複数のＳＰＲＢを含む。ＳＲＢＧに含まれたＳＰＲＢの数は、端末デバイスの帯域幅によって特定されるか、或いは、ネットワークデバイスの指示によって得られる。ここで、ＳＰＲＢ索引はＳＰＲＢのナンバーであり、ＳＲＢＧ索引はＳＲＢＧのナンバーであり、ＳＶＲＢ索引はＳＶＲＢのナンバーであり、サブ搬送波索引はサブ搬送波のナンバーであり、サブ搬送波グループ索引はサブ搬送波グループのナンバーであってもよい。サブ搬送波グループは、少なくとも一つのサブ搬送波を含み、ここでの一つのサブ搬送波が位置する周波数領域は、１５ＫＨＺ以上であってもよい。
【０１１７】
オプションとして、第１周波数帯域は低頻度帯域に属し、第２周波数帯域は高頻度帯域に属する。即ち、第１周波数帯域の周波数上限が、第２周波数帯域の周波数下限未満である。
【０１１８】
オプションとして、第２周波数帯域はｎ個あり、各々の第２周波数帯域は、それぞれの所定の条件に対応される。ｎは、正の整数である。
【０１１９】
第１の実行可能な実現態様において、所定の条件は、
第１信号の信号強度が所定の強度より大きいこと、
第１信号の受信パワーが所定のパワーより大きいこと、
第１信号の受信品質が所定の品質より大きいこと、
第１信号のエラー率が所定の値未満であること
の中の少なくとも一つを含み、
ここで、第１信号は、端末デバイスが第１周波数帯域を利用して送信した信号である。
【０１２０】
第２の実行可能な実現態様において、所定の条件は、
端末デバイスが第１周波数帯域を使用して通信する際の第１地理位置と所定のネットワークアクセスデバイスの第２地理位置との間の距離が所定の閾値未満であること、
或いは、
端末デバイスが第１周波数帯域を使用して通信する際の第１地理位置が、所定のネットワークアクセスデバイスによって特定した領域である所定の領域内に位置すること
を含み、
ここで、所定のネットワークアクセスデバイスは、第２周波数帯域をサポートするネットワークアクセスデバイスである。
【０１２１】
第３の実行可能な実現態様において、所定の条件は、
第１信号を受信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
第１信号を受信する際に使用されたＭＩＭＯアンテナのアンテナ位置が所定の位置を満たすこと、
或いは、
第１信号を受信する際に使用されたＭＩＭＯアンテナのアンテナ数が所定の数を超えるし、且つ、アンテナ位置が所定の位置を満たすこと
を含み、
ここで、第１信号は、端末デバイスが第１周波数帯域を利用して送信した信号であり、アンテナ位置は、使用したＭＩＭＯアンテナのＭＩＭＯアンテナアレーに対する位置である。
【０１２２】
第４の実行可能な実現態様において、所定の条件は、
第２ネットワークアクセスデバイスが受信した、端末デバイスにより第１周波数帯域を利用して送信した信号の信号パラメータが第１条件を満たすこと、
或いは、
第２ネットワークアクセスデバイスが受信した、端末デバイスにより第１周波数帯域を利用して送信した信号の信号パラメータが第２条件を満たし、且つ、第１ネットワークアクセスデバイスが受信した、端末デバイスにより第１周波数帯域を利用して送信した信号の信号パラメータが第３条件を満たすこと
を含み、
ここで、信号パラメータは、信号強度、信号パワー、信号品質及び信号エラー率の中の少なくとも一つを含む。
【０１２３】
第５の実行可能な実現態様において、所定の条件は、
端末デバイスが受信した第１定位信号の信号受信強度が第１強度未満であること、
或いは、
端末デバイスが受信した第１定位信号の信号受信強度が第１強度未満であり、且つ、第１ネットワークアクセスデバイスが受信した第２定位信号の信号受信強度が第２強度未満であること、
或いは、
端末デバイスが受信した第１定位信号の信号受信強度と第１ネットワークアクセスデバイスが受信した第２定位信号の信号受信強度との間の差分が所定の差分未満であること
を含み、
ここで、第１定位信号は、端末が第１周波数帯域を使用して通信する際に受信した定位信号である。
【０１２４】
所定の条件の第１の実行可能な実現態様に対して、図６は、例示的なもう一実施例に係る参考信号送信方法のフローチャートを示した。本発明の実施例は、第１信号が第１参考信号である例を挙げて説明する。上記参考信号送信方法は、以下のステップを含む。
【０１２５】
ステップ６０１において、端末デバイスにより、第１周波数帯域を利用してネットワークアクセスデバイスに第１参考信号を送信する。
【０１２６】
オプションとして、第１周波数帯域は、低頻度帯域に属する。
【０１２７】
ステップ６０２において、ネットワークアクセスデバイスにより、第１参考信号の信号強度が所定の強度より大きいか否かを検出する。
【０１２８】
ステップ６０３において、ネットワークアクセスデバイスにより、第１参考信号の信号強度が所定の強度より大きいと、端末デバイスが第２周波数帯域を利用して第２参考信号を送信するように指示するための所定の命令を、端末デバイスに送信する。
【０１２９】
オプションとして、ネットワークアクセスデバイスは、第１周波数帯域を利用して端末デバイスに所定の命令を送信する。これに対し、端末デバイスは、ネットワークアクセスデバイスが送信した所定の命令を受信する。
【０１３０】
ステップ６０４において、端末デバイスにより、第２周波数帯域を利用してネットワークアクセスデバイスに第２参考信号を送信する。
【０１３１】
オプションとして、第２周波数帯域は高頻度帯域に属し、第２周波数帯域の周波数下限は第１周波数帯域の周波数上限より高い。
【０１３２】
ステップ６０５において、ネットワークアクセスデバイスにより、端末デバイスが第２周波数帯域を利用して送信した第２参考信号を受信する。
【０１３３】
オプションとして、ネットワークアクセスデバイスは、第２参考信号に基づいて、チャネルの評価、或いは、チャネル状態情報の測定を行う。
【０１３４】
本実施例中のネットワークアクセスデバイスは、端末デバイスが居住しようとするか、或いは、すでに居住している団地に対応されるネットワークアクセスデバイスであることを説明する必要がある。
【０１３５】
上記のように、本実施例によって提供する参考信号送信方法によると、第１周波数帯域を利用して送信した第１参考信号の信号強度が所定の強度より大きいと、ネットワークアクセスデバイスにより端末デバイスを指示して第２周波数帯域を利用して第２参考信号を送信するようにすることにより、端末デバイスにより、ずっと第２周波数帯域を利用して第２参考信号を送信する必要がなくなり、第１周波数帯域を利用した通信状態が所定の条件よりよいと、選択的に、第２周波数帯域を利用して第２参考信号を送信できるようになって、端末デバイスの第２参考信号を送信する効率を改善し、また、端末デバイスが第２参考信号を送信する時にかかる消費電力を節約した。
【０１３６】
代替案とする一実現態様において、ステップ６０２において、ネットワークアクセスデバイスは、第１参考信号の受信パワー（ＲｅｆｅｒｅｎＣｅ ＳｉＧｎＡｌ ＲｅＣｅｉｖｅｒ Ｐｏｗｅｒ、ＲＳＲＰ）が所定のパワーより大きいか否かを検出してもよい。代替案とするもう一実現態様において、ステップ６０２において、ネットワークアクセスデバイスは、第１参考信号の受信品質（ＲｅｆｅｒｅｎＣｅ ＳｉＧｎＡｌ ＲｅＣｅｉｖｉｎＧ ＱｕＡｌｉｔｙ、ＲＳＲＱ）が所定の品質より大きいか否かを検出してもよい。代替案の別の一実現態様として、上記の第１参考信号は、第１信号であってもよい。第１信号は、端末デバイスが第１周波数帯域を利用して送信した信号であり、アップリンク参考信号であってもよいし、データ信号であってもよい。この場合、ステップ６０２において、ネットワークアクセスデバイスは、第１信号のエラー率が所定の値未満であるか否かを検出してもよい。
【０１３７】
所定の条件の第２の実現態様に対して、図７Ａは、例示的なもう一実施例に係る参考信号送信方法のフローチャートを示した。上記参考信号送信方法は、以下のステップを含む。
【０１３８】
ステップ７０１において、端末デバイスにより、第１周波数帯域を使用して通信する際の第１地理位置を取得する。
【０１３９】
オプションとして、第１周波数帯域は、低頻度帯域に属する。端末デバイスは、第１周波数帯域を使用してネットワークアクセスデバイスと通信する際に、自身の第１地理位置を取得する。
【０１４０】
オプションとして、端末デバイスは、グローバル定位システム（ＧｌｏＢＡｌ ＰｏｓｉｔｉｏｎｉｎＧ Ｓｙｓｔｅｍ、ＧＰＳ）を利用して、自身の第１地理位置を取得してもよい。本実施例では、定位方法に対して限定しなく、さらに、北斗システムを利用して定位するか、または、無線アクセスポイントを利用して定位してもよい。
【０１４１】
ステップ７０２において、端末デバイスにより、第１周波数帯域を使用してネットワークアクセスデバイスに第１地理位置を送信する。
【０１４２】
これに対し、ネットワークアクセスデバイスは、端末デバイスが送信した第１地理位置を受信する。
【０１４３】
オプションとして、本実施例は、ステップ７０２の送信方法を限定しない。もし、端末デバイスが、第１周波数帯域のほか、他の方法によって第１地理位置をネットワークアクセスデバイスに送信できれば、ステップ７０２を代替する実現態様としてもよい。
【０１４４】
ステップ７０３において、ネットワークアクセスデバイスにより、端末デバイスが第１周波数帯域を使用して通信する際の第１地理位置と所定のネットワークアクセスデバイスの第２地理位置との間の距離が所定の閾値未満であるか否かを検出する。
【０１４５】
ネットワークアクセスデバイスには、自身の第２地理位置が予め保存されている。オプションとして、ネットワークアクセスデバイスには、他のネットワークアクセスデバイスの第２地理位置が、さらに、保存されている。各々のネットワークアクセスデバイスの第２地理位置は、一般的に、固定されている。
【０１４６】
所定のネットワークアクセスデバイスは、第２周波数帯域をサポートするネットワークアクセスデバイスである。所定のネットワークアクセスデバイスは、ステップ７０１及びステップ７０２中のネットワークアクセスデバイスであってもよいし、ステップ７０１及びステップ７０２中のネットワークアクセスデバイスと互いに異なるネットワークアクセスデバイスであってもよい。
【０１４７】
ステップ７０４において、ネットワークアクセスデバイスにより、第１地理位置と第２地理位置との間の距離が所定の閾値未満であると、端末デバイスが第２周波数帯域を利用して第２参考信号を送信するように指示するための所定の命令を、端末デバイスに送信する。
【０１４８】
オプションとして、ネットワークアクセスデバイスは、第１周波数帯域を利用して端末デバイスに所定の命令を送信する。
【０１４９】
オプションとして、第２周波数帯域は高頻度帯域に属し、第２周波数帯域の周波数下限は第１周波数帯域の周波数上限より高い。
【０１５０】
ステップ７０６において、ネットワークアクセスデバイスにより、端末デバイスが第２周波数帯域を利用して送信した第２参考信号を受信する。
【０１５１】
オプションとして、ネットワークアクセスデバイスは、第２参考信号に基づいて、チャネルの評価、或いは、チャネル状態情報の測定を行う。
【０１５２】
上記のように、本実施例によって提供する参考信号送信方法によると、端末デバイスの第１地理位置とネットワークアクセスデバイスの第２地理位置との間の距離が所定の閾値未満であると、ネットワークアクセスデバイスにより端末デバイスを指示して第２周波数帯域を利用して第２参考信号を送信するようにすることにより、端末デバイスにより、ずっと第２周波数帯域を利用して第２参考信号を送信する必要がなくなり、第１周波数帯域を利用した通信状態が所定の条件よりよいと、選択的に、第２周波数帯域を利用して第２参考信号を送信できるようになって、端末デバイスの第２参考信号を送信する効率を改善し、また、端末デバイスが第２参考信号を送信する時にかかる消費電力を節約した。
【０１５３】
図７Ｂを参考すると、マクロ基地局７２は、第１周波数帯域及び第２周波数帯域を、サポートする。マクロ基地局７２は、ＵＥ７４が第１周波数帯域を利用して送信した第１地理位置を受信し、上記第１地理位置とマクロ基地局７２の第２地理位置との間の距離ｄ１が所定の閾値未満であると、ＵＥ７４が第２周波数帯域を利用してアップリンク参考信号を送信するように指示するための所定の命令を、ＵＥ７４に送信する。
【０１５４】
図７Ｃを参考すると、マクロ基地局７２は、第１周波数帯域及び第２周波数帯域をサポートし、室内に位置するマイクロ基地局７６は、第２周波数帯域をサポートする。マクロ基地局７２は、ＵＥ７４が第１周波数帯域を利用して送信した第１地理位置を受信し、上記第１地理位置とマイクロ基地局７６の第２地理位置との間の距離ｄ２が所定の閾値未満であると、ＵＥ７４が第２周波数帯域を利用してアップリンク参考信号を送信するように指示するための所定の命令を、ＵＥ７４に送信する。
【０１５５】
代替案の実現態様として、ステップ７０３において、ネットワークアクセスデバイスは、端末デバイスが第１周波数帯域を使用して通信する際の第１地理位置が、所定のネットワークアクセスデバイスによって特定した領域である所定の領域内に位置するか否かを検出してもよい。一般的に、所定の領域は、所定のネットワークアクセスデバイスを中心として特定した領域である。所定の領域は、不規則な領域に設定されるか、或いは、室内のレイアウトに対応される領域に設定されてもよい。このようにして、端末デバイスが室内に位置する際に、第２周波数帯域を利用してアップリンク参考信号を送信するようにする效果を得る。
【０１５６】
所定の条件の第３の実現態様に対して、図８は、例示的なもう一実施例に係る参考信号送信方法のフローチャートを示した。上記参考信号送信方法は、以下のステップを含む。
【０１５７】
ステップ８０１において、端末デバイスにより、第１周波数帯域を利用してネットワークアクセスデバイスに第１信号を送信する。
【０１５８】
オプションとして、第１周波数帯域は、低頻度帯域に属する。第１信号は、端末デバイスが第１周波数帯域を利用して送信した信号である。
【０１５９】
ステップ８０２において、ネットワークアクセスデバイスにより、第１信号を受信する際に使用した多重入出力（Ｍｕｌｔｉｐｌｅ−Ｉｎｐｕｔ Ｍｕｌｔｉｐｌｅ−Ｏｕｔｐｕｔ、ＭＩＭＯ)アンテナのアンテナ数が所定の数を超えるか否かを検出する。
【０１６０】
例えば、ネットワークアクセスデバイスは、ネットワークアクセスデバイスのＭＩＭＯアンテナの数が３２個であり、所定の数が２０個であると、第１信号を受信する際に使用されたＭＩＭＯアンテナのアンテナの数が２０個を超えるか否かを検出する。
【０１６１】
ステップ８０３において、ネットワークアクセスデバイスにより、第１信号を受信する際に使用されたＭＩＭＯアンテナのアンテナ数が所定の数を超えると、端末デバイスが第２周波数帯域を利用して第２参考信号を送信するように指示するための所定の命令を、端末デバイスに送信する。
【０１６２】
オプションとして、ネットワークアクセスデバイスは、第１周波数帯域を利用して端末デバイスに所定の命令を送信する。
【０１６３】
ステップ８０４において、端末デバイスにより、第２周波数帯域を利用してネットワークアクセスデバイスに第２参考信号を送信する。
【０１６４】
オプションとして、第２周波数帯域は高頻度帯域に属し、第２周波数帯域の周波数下限は第１周波数帯域の周波数上限より高い。
【０１６５】
ステップ８０５において、ネットワークアクセスデバイスにより、端末デバイスが第２周波数帯域を利用して送信した第２参考信号を受信する。
【０１６６】
オプションとして、ネットワークアクセスデバイスは、第２参考信号に基づいて、チャネルの評価、或いは、チャネル状態情報の測定を行う。
【０１６７】
本実施例中のネットワークアクセスデバイスは、端末デバイスが居住しようとするか、或いは、すでに居住している団地に対応されるネットワークアクセスデバイスであることを説明する必要がある。
【０１６８】
上記のように、本実施例によって提供する参考信号送信方法によると、使用されたＭＩＭＯアンテナの数が所定の数より大きいと、ネットワークアクセスデバイスにより端末デバイスを指示して第２周波数帯域を利用して第２参考信号を送信するようにすることにより、端末デバイスにより、ずっと第２周波数帯域を利用して第２参考信号を送信する必要がなくなり、第１周波数帯域を利用した通信状態が所定の条件よりよいと、選択的に、第２周波数帯域を利用して第２参考信号を送信できるようになって、端末デバイスの第２参考信号を送信する効率を改善し、また、端末デバイスが第２参考信号を送信する時にかかる消費電力を節約した。
【０１６９】
代替案の実現態様として、ステップ８０２において、ネットワークアクセスデバイスは、第１信号を受信する際に使用されたＭＩＭＯアンテナのアンテナ位置であって、使用されたＭＩＭＯアンテナのＭＩＭＯアンテナアレーに対する位置が、所定の位置を満たすか否かを検出してもよい。模式的の一例において、ネットワークアクセスデバイスがマクロ基地局であり、マクロ基地局が使用したＭＩＭＯアンテナアレーが上から下への方向に沿って円弧形状になってある場合、使用されたＭＩＭＯアンテナのＭＩＭＯアンテナアレーに対する位置が上部に位置すると、マクロ基地局により端末デバイスに所定の命令を送信する。
【０１７０】
代替案とするもう一実現態様において、ステップ８０２において、ネットワークアクセスデバイスは、第１信号を受信する際に使用されたＭＩＭＯアンテナのアンテナ数が所定の数を超えるし、且つ、アンテナ位置が所定の位置を満たすか否かを、検出してもよい。
【０１７１】
所定の条件の第４の可能な実現態様に対して、図９Ａは、例示的なもう一実施例に係る参考信号送信方法のフローチャートを示した。上記参考信号送信方法は、以下のステップを含む。
【０１７２】
ステップ９０１において、端末デバイスにより、第１周波数帯域を利用して第１参考信号を送信する。
【０１７３】
オプションとして、第１周波数帯域は、低頻度帯域に属する。第１参考信号は、端末デバイスが第１周波数帯域を利用して送信した参考信号である。
【０１７４】
ステップ９０２において、第２ネットワークアクセスデバイスにより、受信した第１参考信号の信号パラメータを第１ネットワークアクセスデバイスに送信する。
【０１７５】
オプションとして、第１ネットワークアクセスデバイスは、端末デバイスが居住しようとするか、或いは、既に居住している団地に対応されるネットワークアクセスデバイスである。
【０１７６】
複雑なネットワーキングの環境において、ネットワークアクセスデバイスは、非常に、密集に分布されている。端末デバイスにより第１周波数帯域を利用して参考信号を送信する場合、複数のネットワークアクセスデバイスが第１参考信号を受信できる。しかし、各々のネットワークアクセスデバイスと端末デバイスとの間の距離が互いに異なり、障害物の多さも互いに異なるため、各々のネットワークアクセスデバイスが受信する第１参考信号の信号パラメータが、互いに異なる。このため、これら信号パラメータを総合して、端末デバイスが位置する位置を予測してもよい。
【０１７７】
オプションとして、信号パラメータは、信号強度、信号パワー、信号品質及び信号エラー率の中の少なくとも一つを含む。
【０１７８】
オプションとして、第２ネットワークアクセスデバイスは、受信した第１参考信号の信号パラメータを、直接、第１ネットワークアクセスデバイスに送信してもよい。オプションとして、第２ネットワークアクセスデバイスは、コアネットワーク要素を介して、受信した第１参考信号の信号パラメータを、第１ネットワークアクセスデバイスに送信してもよい。
【０１７９】
ステップ９０３において、第１ネットワークアクセスデバイスにより、第２ネットワークアクセスデバイスが受信した、端末デバイスにより第１周波数帯域を利用して送信した信号の信号パラメータが、第１条件を満たすか否かを検出する。
【０１８０】
オプションとして、第２ネットワークアクセスデバイスは、少なくとも二つあり、第１条件は、端末デバイスが位置する地理位置の少なくとも二つ第２ネットワークアクセスデバイスに対する地理位置が、所定の領域内に位置することに対応される条件である。
【０１８１】
図９Ｂを参考すると、第２ネットワークアクセスデバイスは、三つ、あり、端末デバイス９０が三つの第２ネットワークアクセスデバイスの中の左上に位置する第２ネットワークアクセスデバイス９２に接近されていると、左上の第２ネットワークアクセスデバイス９２が受信した第１参考信号の信号強度は、強度Ａより大きいし、右上の第２ネットワークアクセスデバイス９４が受信した第１参考信号の信号強度は、強度Ａより小さく、且つ、強度Ｂより大きいし、下方の第２ネットワークアクセスデバイス９６が受信した第１参考信号の信号強度は、強度Ａより小さく、且つ、強度Ｂより大きい。第１ネットワークアクセスデバイス９８により、三つの第２ネットワークアクセスデバイスが受信した、端末デバイスにより第１周波数帯域を利用して送信した第１参考信号の信号パラメータが、第１条件を満たすことが検出される場合、端末デバイス９０が図９Ｂに示した領域内に位置する可能性が非常に高い。
【０１８２】
左上の第２ネットワークアクセスデバイスが第２周波数帯域をサポートするネットワークアクセスデバイスであると、第１ネットワークアクセスデバイスは、端末デバイスをトリガして第２周波数帯域を利用して第２参考信号を送信するようにすることになる。
【０１８３】
ステップ９０４において、第１ネットワークアクセスデバイスにより、第２ネットワークアクセスデバイスが受信した、端末デバイスにより第１周波数帯域を利用して送信した信号の信号パラメータが、第１条件を満たすと、端末デバイスが第２周波数帯域を利用して第２参考信号を送信するように指示するための所定の命令を、端末デバイスに送信する。
【０１８４】
オプションとして、第１ネットワークアクセスデバイスは、第１周波数帯域を利用して端末デバイスに所定の命令を送信する。
【０１８５】
ステップ９０５において、端末デバイスにより、第２周波数帯域を利用して第２参考信号を送信する。
【０１８６】
オプションとして、第２周波数帯域は高頻度帯域に属し、第２周波数帯域の周波数下限は第１周波数帯域の周波数上限より高い。
【０１８７】
ステップ９０６において、第１ネットワークアクセスデバイス、及び/或いは、第２ネットワークアクセスデバイスにより、端末デバイスが第２周波数帯域を利用して送信した第２参考信号を受信する。
【０１８８】
オプションとして、第１ネットワークアクセスデバイス、及び/或いは、第２ネットワークアクセスデバイスは、第２参考信号に基づいて、チャネルの評価、或いは、チャネル状態情報の測定を行う。
【０１８９】
上記のように、本実施例によって提供する参考信号送信方法によると、第２ネットワークアクセスデバイスが受信した、端末デバイスにより第１周波数帯域を利用して送信した信号の信号パラメータが第１条件を満たすと、ネットワークアクセスデバイスにより端末デバイスを指示して第２周波数帯域を利用して第２参考信号を送信するようにすることにより、端末デバイスにより、ずっと第２周波数帯域を利用して第２参考信号を送信する必要がなくなり、第１周波数帯域を利用した通信状態が所定の条件よりよいと、選択的に、第２周波数帯域を利用して第２参考信号を送信できるようになって、端末デバイスの第２参考信号を送信する効率を改善し、また、端末デバイスが第２参考信号を送信する時にかかる消費電力を節約した。
【０１９０】
代替案の実現態様として、ステップ９０３において、第１ネットワークアクセスデバイスは、第２ネットワークアクセスデバイスが受信した、端末デバイスにより第１周波数帯域を利用して送信した信号の信号パラメータが第２条件を満たし、且つ、第１ネットワークアクセスデバイスが受信した、端末デバイスにより第１周波数帯域を利用して送信した信号の信号パラメータが第３条件を満たすか否かを検出してもよい。即ち、第１ネットワークアクセスデバイスは、自身及び他のネットワークアクセスデバイスの受信情況を総合して、端末デバイスが位置する領域を予測してもよい。
【０１９１】
所定の条件の第５の可能の実現態様に対して、図１０は、例示的な一実施例に係る参考信号送信方法のフローチャートを示した。上記参考信号送信方法は、以下のステップを含む。
【０１９２】
ステップ１００１において、端末デバイスにより、第１定位信号を受信する。
【０１９３】
第１定位信号は、端末が第１周波数帯域を使用して通信する際に受信した定位信号である。
【０１９４】
オプションとして、第１周波数帯域は、低頻度帯域に属する。
【０１９５】
ステップ１００２において、端末デバイスにより、受信した第１定位信号の信号受信強度を、ネットワークアクセスデバイスに送信する。
【０１９６】
オプションとして、ネットワークアクセスデバイスは、端末デバイスが居住しようとするか、或いは、既に居住している団地に対応されるネットワークアクセスデバイスである。
【０１９７】
これに対し、ネットワークアクセスデバイスは、端末デバイスが送信した第１定位信号の信号受信強度を受信する。
【０１９８】
ステップ１００３において、ネットワークアクセスデバイスにおいて、端末デバイスが受信した第１定位信号の信号受信強度が第１強度未満であるか否かを検出する。
【０１９９】
高頻度帯域の参考信号による測定は、室内環境に大量に適用される。室内環境に位置する場合、端末デバイスが受信した第１定位信号の信号受信強度は弱くなるから、ネットワークアクセスデバイスにより、端末デバイスが受信した第１定位信号の信号受信強度が第１強度未満であるか否かを検出することにより、端末デバイスが室内環境に位置するか否かを判断してもよい。
【０２００】
端末デバイス及びネットワークアクセスデバイスがすべて室内環境に位置すると、端末デバイスにより高頻度帯域の参考信号の送信過程を起動させる可能性が大きい。
【０２０１】
ステップ１００４において、ネットワークアクセスデバイスにより、端末デバイスが受信した第１定位信号の信号受信強度が第１強度未満である時、端末デバイスが第２周波数帯域を利用して第２参考信号を送信するように指示するための所定の命令を、端末デバイスに送信する。
【０２０２】
オプションとして、ネットワークアクセスデバイスは、第１周波数帯域を利用して端末デバイスに所定の命令を送信する。
【０２０３】
ステップ１００５において、端末デバイスにより、第２周波数帯域を利用してネットワークアクセスデバイスに第２参考信号を送信する。
【０２０４】
オプションとして、第２周波数帯域は高頻度帯域に属し、第２周波数帯域の周波数下限は第１周波数帯域の周波数上限より高い。
【０２０５】
ステップ１００６において、ネットワークアクセスデバイスにより、端末デバイスが第２周波数帯域を利用して送信した第２参考信号を受信する。
【０２０６】
オプションとして、ネットワークアクセスデバイスは、第２参考信号に基づいて、チャネルの評価、或いは、チャネル状態情報の測定を行う。
【０２０７】
上記のように、本実施例によって提供する参考信号送信方法によると、端末デバイスが受信した第１定位信号の信号受信強度が第１強度未満であると、ネットワークアクセスデバイスにより端末デバイスを指示して第２周波数帯域を利用して第２参考信号を送信するようにすることにより、端末デバイスにより、ずっと第２周波数帯域を利用して第２参考信号を送信する必要がなくなり、第１周波数帯域を利用した通信状態が所定の条件よりよいと、選択的に、第２周波数帯域を利用して第２参考信号を送信できるようになって、端末デバイスの第２参考信号を送信する効率を改善し、また、端末デバイスが第２参考信号を送信する時にかかる消費電力を節約した。
【０２０８】
代替案とする一実現態様において、ステップ１００３において、ネットワークアクセスデバイスは、端末デバイスが受信した第１定位信号の信号受信強度が第１強度未満であるか否か、且つ、ネットワークアクセスデバイスが受信した第２定位信号の信号受信強度が第２強度未満であるか否かを、検出してもよい。
【０２０９】
代替案とするもう一実現態様において、ステップ１００３において、ネットワークアクセスデバイスは、端末デバイスが受信した第１定位信号の信号受信強度とネットワークアクセスデバイスが受信した第２定位信号の信号受信強度との間の差分が所定の差分未満である否かを検出してもよい。
【０２１０】
上記の実施例おいて、ネットワークアクセスデバイスにより所定の条件を検出し、また、検出結果によって端末デバイスに所定の命令を送信する例を挙げて説明したが、以下の一部の実施例において、上記の所定の条件の検出過程を端末デバイスにより実行してもよいことを、説明する必要がある。
【０２１１】
図１１は、例示的な一実施例に係る参考信号送信方法を示すフローチャートである。上記参考信号送信方法は、以下のステップを含む。
【０２１２】
ステップ１１０１において、端末デバイスにより、第１ネットワークアクセスデバイスと第１周波数帯域を利用して通信する。
【０２１３】
オプションとして、第１周波数帯域は、低頻度帯域に属する。「通信」は、端末デバイスによりネットワークアクセスデバイスに信号を送信すること、ネットワークアクセスデバイスにより端末デバイスに信号を送信すること、端末デバイスによりネットワークアクセスデバイスに第１信号を送信すること、ネットワークアクセスデバイスにより第１信号に基づいて端末デバイスに第２信号をフィードバックすること、ネットワークアクセスデバイス端末によりデバイスに第３信号を送信すること、端末デバイスにより第３信号に基づいて端末デバイスに第４信号をフィードバックすること、等の中の少なくとも一つを含む。オプションとして、信号は、参考信号、データ、等であってもよく、本発明の実施例では、信号の種類、或いは、具体的な内容に対して、具体的に限定しない。
【０２１４】
ステップ１１０２において、端末デバイスにより、第１周波数帯域を利用した通信が所定の条件を満たすか否かを検出する。
【０２１５】
所定の条件は、端末デバイスとネットワークアクセスデバイスとの間の通信状態を判断するための条件である。オプションとして、第１周波数帯域が低頻度帯域に属し、且つ、第２周波数帯域が高頻度帯域に属する場合、第１周波数帯域を利用した通信状態が所定の条件よりよいと、端末デバイスをトリガして第２周波数帯域を利用して通信するようにする。
【０２１６】
ステップ１１０３において、端末デバイスにより、第１周波数帯域を利用した通信が所定の条件を満たすと、第２周波数帯域を利用して参考信号を送信する。
【０２１７】
ここで、第１周波数帯域と第２周波数帯域とは互いに異なる。オプションとして、第２周波数帯域は高頻度帯域に属する。
【０２１８】
本発明の実施例において、端末デバイスが送信するアップリンク参考信号の種類は、復調用参考信号（ＤｅｍｏｄｕｌＡｔｉｏｎ ＲｅｆｅｒｅｎＣｅ ＳｉＧｎＡｌ、ＤＭＲＳ）、検索用参考信号（ＳｏｕｎｄｉｎＧ ＲｅｆｅｒｅｎＣｅ ＳｉＧｎＡｌ、ＳＲＳ）及びチャネル状態情報参考信号（ＣＳＩ ＲｅｆｅｒｅｎＣｅ ＳｉＧｎＡｌ 、ＣＳＩ−ＲＳ）に限定されない。さらに、端末デバイスにより、新たに追加したアップリンク参考信号を能動的に送信してもよく、これら新たに追加したアップリンク参考信号は、ＬＴＥ中のあるダウンリンクの参考信号と同一である機能、或いは、類似な機能を有する。例えば、端末デバイスを一つの「移動できる基地局」と見なして、端末デバイスにより、団地特定参考信号（Ｃｅｌｌ−ｓｐｅＣｉｆｉＣ ＲｅｆｅｒｅｎＣｅ ＳｉＧｎＡｌ、ＣＲＳ）を送信してもよい。それで、本発明の実施例の中のアップリンク参考信号とは、端末デバイスにより送信するいずれかの参考信号であってもよく、これら参考信号は、チャネルの評価、チャネル状態の測定、等に利用される信号である。
【０２１９】
オプションとして、ネットワークアクセスデバイスは、端末デバイスが第２周波数帯域を利用して送信した参考信号を受信し、上記参考信号に基づいて第２周波数帯域中のチャネルに対して、チャネルを評価するか、或いは、チャネル状態情報を測定してもよい。
【０２２０】
上記のように、本実施例によって提供する参考信号送信方法によると、端末デバイスとネットワークアクセスデバイスとの間の第１周波数帯域を利用した通信が所定の条件を満たすと、端末デバイスにより第２周波数帯域を利用して参考信号を送信することにより、ネットワーキング環境がより複雑である場合に、ネットワークアクセスデバイスが参考信号を送信する効率が低下する問題を解決して、端末デバイスにより参考信号を送信できるようになった上に、第１周波数帯域の具体的な通信の情況によって、選択的に、第２周波数帯域を利用して参考信号を送信できるようになって、端末デバイスが参考信号を送信する効率を改善して、端末デバイスが第２周波数帯域を利用して参考信号を送信する時にかかる消費電力を節約する効果を得た。
【０２２１】
オプションとして、「第１周波数帯域を利用して通信する」とは、第１周波数帯域に属する時間-周波数リソースを利用して通信することと見なしてもよい。オプションとして、「第２周波数帯域を利用して参考信号を送信する」とは、第２周波数帯域に属する時間-周波数リソースを利用して通信することと見なしてもよい。
【０２２２】
第１の実行可能な実現態様において、所定の条件は、
第２信号の信号強度が所定の強度より大きいこと、
第２信号の受信パワーが所定のパワーより大きいこと、
第２信号の受信品質が所定の品質より大きいこと、
第２信号のエラー率が所定の値未満であること
の中の少なくとも一つを含み、
ここで、第２信号は、第１ネットワークアクセスデバイスが第１周波数帯域を利用して送信した信号である。
【０２２３】
第２の実行可能な実現態様において、所定の条件は、
端末デバイスが第１周波数帯域を使用して通信する際の第１地理位置と所定のネットワークアクセスデバイスの第２地理位置との間の距離が所定の閾値未満であること、
或いは、
端末デバイスが第１周波数帯域を使用して通信する際の第１地理位置が、所定のネットワークアクセスデバイスによって特定した領域である所定の領域内に位置すること
を含み、
ここで、所定のネットワークアクセスデバイスは、第２周波数帯域をサポートするネットワークアクセスデバイスである。
【０２２４】
第３の実行可能な実現態様において、所定の条件は、
端末デバイスが第１周波数帯域を利用して信号を送信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
端末デバイスが第１周波数帯域を利用して信号を送信する際に使用されたＭＩＭＯアンテナのアンテナ位置が所定の位置を満たすこと、
或いは、
端末デバイスが第１周波数帯域を利用して信号を送信する際に使用されたＭＩＭＯアンテナのアンテナ数が所定の数を超えるし、且つ、アンテナ位置が所定の位置を満たすこと
を含み、
ここで、アンテナ位置は、使用したＭＩＭＯアンテナのＭＩＭＯアンテナアレーに対する位置である。
【０２２５】
第４の実行可能な実現態様において、所定の条件は、
端末デバイスが受信した第１定位信号の信号受信強度が第１強度未満であること、
或いは、
端末デバイスが受信した第１定位信号の信号受信強度が第１強度未満であり、且つ、第１ネットワークアクセスデバイスが受信した第２定位信号の信号受信強度が第２強度未満であること、
或いは、
端末デバイスが受信した第１定位信号の信号受信強度と第１ネットワークアクセスデバイスが受信した第２定位信号の信号受信強度との間の差分が所定の差分未満であること
を含み、
ここで、第１定位信号は、端末デバイスが第１周波数帯域を使用して通信する際に受信した定位信号である。
【０２２６】
所定の条件の第１の可能な実現態様に対して、図１２は、例示的な一実施例に係る参考信号送信方法のフローチャートを示した。本発明の実施例は、第２信号が第２参考信号である例を挙げて説明する。上記参考信号送信方法は、以下のステップを含む。
【０２２７】
ステップ１２０１において、ネットワークアクセスデバイスにより、第１周波数帯域を利用して端末デバイスに第１参考信号を送信する。
【０２２８】
オプションとして、第１周波数帯域は、低頻度帯域に属する。
【０２２９】
ステップ１２０２において、端末デバイスにより、第１参考信号の信号強度が所定の強度より大きいか否かを検出する。
【０２３０】
ステップ１２０３において、端末デバイスにより、第１参考信号の信号強度が所定の強度より大きいと、第２周波数帯域を利用してネットワークアクセスデバイスに第２参考信号を送信する。
【０２３１】
オプションとして、第２周波数帯域は高頻度帯域に属し、第２周波数帯域の周波数下限は第１周波数帯域の周波数上限より高い。
【０２３２】
これに対し、ネットワークアクセスデバイスは、端末デバイスにより第２周波数帯域を利用して送信した第２参考信号を受信する。
【０２３３】
オプションとして、ネットワークアクセスデバイスは、第２参考信号に基づいて、チャネルの評価、或いは、チャネル状態情報の測定を行う。
【０２３４】
本実施例中のネットワークアクセスデバイスは、端末デバイスが居住しようとするか、或いは、すでに居住している団地に対応されるネットワークアクセスデバイスであることを説明する必要がある。
【０２３５】
上記のように、本実施例によって提供する参考信号送信方法によると、第１周波数帯域を利用して送信した第１参考信号の信号強度が所定の強度より大きいと、端末デバイスにより、第２周波数帯域を利用して第２参考信号を送信することを自身で決めることにより、端末デバイスにより、ずっと第２周波数帯域を利用して第２参考信号を送信する必要がなくなり、第１周波数帯域を利用した通信状態が所定の条件よりよいと、選択的に、第２周波数帯域を利用して第２参考信号を送信できるようになって、端末デバイスの第２参考信号を送信する効率を改善し、また、端末デバイスが第２参考信号を送信する時にかかる消費電力を節約した。
【０２３６】
代替案の実現態様として、ステップ１２０２において、端末デバイスは、第１参考信号の受信パワー（ＲｅｆｅｒｅｎＣｅ ＳｉＧｎＡｌ ＲｅＣｅｉｖｅｒ Ｐｏｗｅｒ、ＲＳＲＰ）が所定のパワーより大きいか否かを検出してもよい。代替案とするもう一実現態様において、ステップ１２０２において、端末デバイスは、第１参考信号の受信品質（ＲｅｆｅｒｅｎＣｅ ＳｉＧｎＡｌ ＲｅＣｅｉｖｉｎＧ ＱｕＡｌｉｔｙ、ＲＳＲＱ）が所定の品質より大きいか否かを検出してもよい。代替案の別の一実現態様として、上記の第１参考信号は、第１信号であってもよい。第１信号は、端末デバイスが第１周波数帯域を利用して送信した信号であり、アップリンク参考信号であってもよいし、データ信号であってもよい。この場合、ステップ１２０２において、端末デバイスは、第２信号のエラー率が所定の値未満であるか否かを検出してもよい。
【０２３７】
所定の条件の第２の可能な実現態様に対して、図１３は、例示的なもう一実施例に係る参考信号送信方法のフローチャートを示した。上記参考信号送信方法は、以下のステップを含む。
【０２３８】
ステップ１３０１において、端末デバイスにより、第１周波数帯域を使用して通信する際の第１地理位置を取得する。
【０２３９】
オプションとして、第１周波数帯域は、低頻度帯域に属する。端末デバイスは、第１周波数帯域を使用してネットワークアクセスデバイスと通信する際に、自身の第１地理位置を取得する。
【０２４０】
オプションとして、端末デバイスは、グローバル定位システム（ＧｌｏＢＡｌ ＰｏｓｉｔｉｏｎｉｎＧ Ｓｙｓｔｅｍ、ＧＰＳ）を利用して、自身の第１地理位置を取得してもよい。本実施例では、定位方法に対して限定しなく、さらに、北斗システムをりようして定位するか、または、無線アクセスポイントを利用して定位してもよい。
【０２４１】
ステップ１３０２において、端末デバイスにより、所定のネットワークアクセスデバイスの第２地理位置を取得する。
【０２４２】
オプションとして、端末デバイスには、所定のネットワークアクセスデバイスの第２地理位置が予め保存されていてもよく、各々のネットワークアクセスデバイスの第２地理位置は、一般的に、固定されている。
【０２４３】
オプションとして、端末デバイスは、第１周波数帯域を使用して、所定のネットワークアクセスデバイスに、地理位置問い合わせ要求を送信して、ネットワークアクセスデバイスがフィードバックした第２地理位置を受信してもよい。
【０２４４】
オプションとして、本実施例は、ステップ１３０２の送信送信方法を限定しない。もし、端末デバイスが、他の方法によって所定のネットワークアクセスデバイスの第２地理位置を取得できれば、ステップ１３０２を代替する実現態様としてもよい。
【０２４５】
ステップ１３０３において、端末デバイスにより、第１地理位置と所定のネットワークアクセスデバイスの第２地理位置との間の距離が、所定の閾値未満である否かを検出する。
【０２４６】
所定のネットワークアクセスデバイスは、第２周波数帯域をサポートするネットワークアクセスデバイスである。所定のネットワークアクセスデバイスは、端末デバイスが現在居住しているか、或いは、通信しているネットワークアクセスデバイスであっても良いし、端末デバイスが現在居住しているか、或いは、通信しているネットワークアクセスデバイスとは異なる他のネットワークアクセスデバイスであってもよい。
【０２４７】
ステップ１３０４において、端末デバイスにより、第１地理位置及び第２地理位置との間の距離が所定の閾値未満であると、第２周波数帯域を利用して第２参考信号を送信する。
【０２４８】
オプションとして、第２周波数帯域は高頻度帯域に属し、第２周波数帯域の周波数下限は第１周波数帯域の周波数上限より高い。
【０２４９】
これに対し、所定のネットワークアクセスデバイスは、端末デバイスにより第２周波数帯域を利用して送信した第２参考信号を受信する。
【０２５０】
オプションとして、所定のネットワークアクセスデバイスは、第２参考信号に基づいて、チャネルの評価、或いは、チャネル状態情報の測定を行う。
【０２５１】
上記のように、本実施例によって提供する参考信号送信方法によると、端末デバイスの第１地理位置とネットワークアクセスデバイスの第２地理位置との間の距離が所定の閾値未満であると、端末デバイスにより、第２周波数帯域を利用して第２参考信号を送信することを自分で決めることにより、端末デバイスにより、ずっと第２周波数帯域を利用して第２参考信号を送信する必要がなくなり、第１周波数帯域を利用した通信状態が所定の条件よりよいと、選択的に、第２周波数帯域を利用して第２参考信号を送信できるようになって、端末デバイスの第２参考信号を送信する効率を改善し、また、端末デバイスが第２参考信号を送信する時にかかる消費電力を節約した。
【０２５２】
代替案の実現態様として、ステップ１３０３において、端末デバイスは、第１周波数帯域を使用して通信する際の第１地理位置が、所定のネットワークアクセスデバイスによって特定した領域である所定の領域内に位置するか否かを検出してもよい。一般的に、所定の領域は、所定のネットワークアクセスデバイスを中心として特定した領域である。所定の領域は、不規則な領域に設定されるか、或いは、室内のレイアウトに対応される領域に設定されてもよい。このようにして、端末デバイスが室内に位置する際に、第２周波数帯域を利用してアップリンク参考信号を送信するようにする效果を得る。
【０２５３】
所定の条件の第３の可能な実現態様に対して、図１４は、例示的なもう一実施例に係る参考信号送信方法のフローチャートを示した。上記参考信号送信方法は、以下のステップを含んでもよい。
【０２５４】
ステップ１４０１において、端末デバイスにより、第１周波数帯域を利用してネットワークアクセスデバイスに第１信号を送信する。
【０２５５】
オプションとして、第１周波数帯域は、低頻度帯域に属する。第１信号は、端末デバイスが第１周波数帯域を利用して送信した信号である。
【０２５６】
ステップ１４０２において、端末デバイスにより、第１信号を送信する際に使用されたＭＩＭＯアンテナのアンテナ数が所定の数を超えるか否かを検出する。
【０２５７】
例えば、ネットワークアクセスデバイスは、ネットワークアクセスデバイスのＭＩＭＯアンテナの数が３２個であり、所定の数が２０個であると、第１信号を受信する際に使用されたＭＩＭＯアンテナのアンテナの数が２０個を超えるか否かを検出する。
【０２５８】
ステップ１４０３において、端末デバイスにより、第１信号を送信する際に使用されたＭＩＭＯアンテナのアンテナ数が所定の数を超えると、第２周波数帯域を利用してネットワークアクセスデバイスに第２参考信号を送信する。
【０２５９】
オプションとして、第２周波数帯域は高頻度帯域に属し、第２周波数帯域の周波数下限は第１周波数帯域の周波数上限より高い。
【０２６０】
これに対し、ネットワークアクセスデバイスは、端末デバイスにより第２周波数帯域を利用して送信した第２参考信号を受信する。
【０２６１】
オプションとして、ネットワークアクセスデバイスは、第２参考信号に基づいて、チャネルの評価、或いは、チャネル状態情報の測定を行う。
【０２６２】
本実施例中のネットワークアクセスデバイスは、端末デバイスが居住しようとするか、或いは、すでに居住している団地に対応されるネットワークアクセスデバイスであることを説明する必要がある。
【０２６３】
上記のように、本実施例によって提供する参考信号送信方法によると、使用されたＭＩＭＯアンテナの数が所定の数より大きいと、端末デバイスにより第２周波数帯域を利用して第２参考信号を送信することを自分で決めることにより、端末デバイスにより、ずっと第２周波数帯域を利用して第２参考信号を送信する必要がなくなり、第１周波数帯域を利用した通信状態が所定の条件よりよいと、選択的に、第２周波数帯域を利用して第２参考信号を送信できるようになって、端末デバイスの第２参考信号を送信する効率を改善し、また、端末デバイスが第２参考信号を送信する時にかかる消費電力を節約した。
【０２６４】
代替案とする一実現態様において、ステップ１４０２において、端末デバイスは、第１信号を送信する際に使用されたＭＩＭＯアンテナのアンテナ位置が所定の位置を満たすか否かを検出してもよく、アンテナ位置は、使用したＭＩＭＯアンテナのＭＩＭＯアンテナアレーに対する位置である。代替案とするもう一実現態様において、ステップ１４０２において、端末デバイスにより、第１信号を送信する際に使用されたＭＩＭＯアンテナのアンテナ数が所定の数を超えるか否か、且つ、アンテナ位置が所定の位置を満たすか否かを、検出してもよい。
【０２６５】
所定の条件の第４の可能な実現態様に対して、図１５は、例示的な一実施例に係る参考信号送信方法のフローチャートを示した。上記参考信号送信方法は、以下のステップを含む。
【０２６６】
ステップ１５０１において、端末デバイスにより、第１定位信号を受信する。
【０２６７】
第１定位信号は、端末が第１周波数帯域を使用して通信する際に受信した定位信号である。
【０２６８】
オプションとして、第１周波数帯域は、低頻度帯域に属する。
【０２６９】
ステップ１５０２において、端末デバイスにより、受信した第１定位信号の信号受信強度が第１強度未満であるか否かを検出する。
【０２７０】
高頻度帯域の参考信号による測定は、室内環境に大量に適用される。室内環境に位置する場合、端末デバイスが受信した第１定位信号の信号受信強度は弱くなるから、ネットワークアクセスデバイスにより、端末デバイスが受信した第１定位信号の信号受信強度が第１強度未満であるか否かを検出することにより、端末デバイスが室内環境に位置するか否かを判断してもよい。
【０２７１】
端末デバイス及びネットワークアクセスデバイスがすべて室内環境に位置すると、端末デバイスにより高頻度帯域の参考信号の送信過程を起動させる可能性が大きい。
【０２７２】
ステップ１５０３において、端末デバイスにより、受信した第１定位信号の信号受信強度が第１強度未満であると、第２周波数帯域を利用してネットワークアクセスデバイスに第２参考信号を送信する。
【０２７３】
オプションとして、第２周波数帯域は高頻度帯域に属し、第２周波数帯域の周波数下限は第１周波数帯域の周波数上限より高い。
【０２７４】
これに対し、ネットワークアクセスデバイスは、端末デバイスにより第２周波数帯域を利用して送信した第２参考信号を受信する。
【０２７５】
オプションとして、ネットワークアクセスデバイスは、第２参考信号に基づいて、チャネルの評価、或いは、チャネル状態情報の測定を行う。
【０２７６】
上記のように、本実施例によって提供する参考信号送信方法によると、端末デバイスが受信した第１定位信号の信号受信強度が第１強度未満であると、端末デバイスにより、第２周波数帯域を利用して第２参考信号を送信することを自分で決めることにより、端末デバイスにより、ずっと第２周波数帯域を利用して第２参考信号を送信する必要がなくなり、第１周波数帯域を利用した通信状態が所定の条件よりよいと、選択的に、第２周波数帯域を利用して第２参考信号を送信できるようになって、端末デバイスの第２参考信号を送信する効率を改善し、また、端末デバイスが第２参考信号を送信する時にかかる消費電力を節約した。
【０２７７】
代替案とする一実現態様において、端末デバイスによりネットワークアクセスデバイスの第２定位信号の信号受信強度を取得でき、ステップ１５０２において、端末デバイスは、受信した第１定位信号の信号受信強度が第１強度未満であるか否か、且つ、ネットワークアクセスデバイスが受信した第２定位信号の信号受信強度が第２強度未満であるか否かを検出してもよい。
【０２７８】
或いは、代替案とするもう一実現態様において、ステップ１５０２において、端末デバイスは、受信した第１定位信号の信号受信強度とネットワークアクセスデバイスが受信した第２定位信号の信号受信強度との間の差分が所定の差分未満である否かを検出してもよい。
【０２７９】
上記の各々の実施例を、二つずつ組み合わせたり、或いは、幾つかを組み合わせたりして、新たな実施例を得られることを説明する必要がある。例えば、所定の条件は、端末デバイスの第１地理位置とネットワークアクセスデバイスの第２地理位置が所定の距離未満であり、且つ、端末デバイスが受信した第１定位信号の信号強度が第１強度未満であることであってもよい。同業者によって上記と同様に上記の実施例から容易に得られる内容は本発明の範囲に属し、ここでは、詳細に説明しない。
【０２８０】
端末デバイスに第２周波数帯域のアンテナ、及び/或いは、パワーアンプモジュールが別途に設計されていれば、端末デバイスは、所定の命令を受信した後、或いは、所定の条件を満たすと自分で判断された後に、対応される第２周波数帯域のアンテナ、及び/或いは、パワーアンプモジュールを活性化させて、動作状態に進入するようにしてもよいことを、説明する必要がある。
【０２８１】
上記の各々の方法実施例中の端末デバイスに関するステップは、図３に示した端末デバイスのプロセッサ（通信チップ）によって、メモリ中の一つ以上のプログラムを運行させて、実行してもよいし、上記の各々の方法実施例中のネットワークアクセスデバイスに関するステップは、図２に示したネットワークアクセスデバイスのプロセッサによって、メモリ中の一つ以上のプログラムを運行させて、実行してもよいことを、説明する必要がある。
【０２８２】
図１６は、例示的な一実施例に係るシグナリング送信装置の構成を示すフロック図である。上記シグナリング送信装置は、専用のハードウェア回路、或いは、ハードウェアとソフトウェアの組合せによって、ネットワークアクセスデバイスの全部、或いは、一部を、実現してもよい。
【０２８３】
上記シグナリング送信装置は、
端末デバイスの第１周波数帯域を利用した通信が所定の条件を満たすか否かを検出する処理モジュール１６２０と、
第１周波数帯域を利用した通信が所定の条件を満たすと、端末デバイスが第２周波数帯域を利用して参考信号を送信するように指示するための所定のシグナリングを、端末デバイスに送信する送信モジュール１６４０と
を備え、
ここで、第１周波数帯域と第２周波数帯域とは互いに異なる。
【０２８４】
オプションとして、所定の条件は、
第１信号の信号強度が所定の強度より大きいこと、
第１信号の受信パワーが所定のパワーより大きいこと、
第１信号の受信品質が所定の品質より大きいこと、
第１信号のエラー率が所定の値未満であること
の中の少なくとも一つを含み、
ここで、第１信号は、端末デバイスが第１周波数帯域を利用して送信した信号である。
【０２８５】
オプションとして、所定の条件は、
端末デバイスが第１周波数帯域を使用して通信する際の第１地理位置と所定のネットワークアクセスデバイスの第２地理位置との間の距離が所定の閾値未満であること、
或いは、
端末デバイスが第１周波数帯域を使用して通信する際の第１地理位置が、所定のネットワークアクセスデバイスによって特定した領域である所定の領域内に位置すること
を含み、
ここで、所定のネットワークアクセスデバイスは、第２周波数帯域をサポートするネットワークアクセスデバイスである。
【０２８６】
オプションとして、所定の条件は、
第１信号を受信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
第１信号を受信する際に使用されたＭＩＭＯアンテナのアンテナ位置が所定の位置を満たすこと、
或いは、
第１信号を受信する際に使用されたＭＩＭＯアンテナのアンテナ数が所定の数を超えるし、且つ、アンテナ位置が所定の位置を満たすこと
を含み、
ここで、第１信号は、端末デバイスが第１周波数帯域を利用して送信した信号であり、アンテナ位置は、使用したＭＩＭＯアンテナのＭＩＭＯアンテナアレーに対する位置である。
【０２８７】
オプションとして、所定の条件は、
第２ネットワークアクセスデバイスが受信した、端末デバイスにより第１周波数帯域を利用して送信した信号の信号パラメータが第１条件を満たすこと、
或いは、
第２ネットワークアクセスデバイスが受信した、端末デバイスにより第１周波数帯域を利用して送信した信号の信号パラメータが第２条件を満たし、且つ、シグナリング送信装置が受信した、端末デバイスにより第１周波数帯域を利用して送信した信号の信号パラメータが第３条件を満たすこと
を含み、
ここで、信号パラメータは、信号強度、信号パワー、信号品質及び信号エラー率の中の少なくとも一つを含む。
【０２８８】
オプションとして、所定の条件は、
端末デバイスが受信した第１定位信号の信号受信強度が第１強度未満であること、
或いは、
端末デバイスが受信した第１定位信号の信号受信強度が第１強度未満であり、且つ、シグナリング送信装置が受信した第２定位信号の信号受信強度が第２強度未満であること、
或いは、
端末デバイスが受信した第１定位信号の信号受信強度とシグナリング送信装置が受信した第２定位信号の信号受信強度との間の差分が所定の差分未満であること
を含み、
ここで、第１定位信号は、端末が第１周波数帯域を使用して通信する際に受信した定位信号である。
【０２８９】
オプションとして、第１周波数帯域の周波数上限は、第２周波数帯域の周波数下限未満である。
【０２９０】
オプションとして、第２周波数帯域はｎ個あり、各々の第２周波数帯域は、それぞれの所定の条件に対応される。
【０２９１】
オプションとして、参考信号は、端末デバイスに利用される特定参考信号、ＤＭＲＳ、ＳＲＳ、ＣＳＩ−ＲＳのような参考信号の中の少なくとも一つである。
【０２９２】
図１７は、例示的な一実施例に係る参考信号送信装置の構成を示すフロック図である。上記参考信号送信装置は、専用のハードウェア回路、或いは、ハードウェアとソフトウェアの組合せによって、ネットワークアクセスデバイスの全部、或いは、一部を、実現してもよい。
【０２９３】
上記参考信号送信装置は、
ネットワークアクセスデバイスと第１周波数帯域を利用して通信する処理モジュール１７２０と、
ネットワークアクセスデバイスにより第１周波数帯域を利用した通信が所定の条件を満たすと送信した所定の命令を受信する受信モジュール１７４０と、
第２周波数帯域を利用して参考信号を送信する送信モジュール１７６０と
を備え、
ここで、第１周波数帯域と第２周波数帯域とは互いに異なる。
【０２９４】
オプションとして、第１周波数帯域の周波数上限は、第２周波数帯域の周波数下限未満である。
【０２９５】
オプションとして、第２周波数帯域はｎ個あり、各々の第２周波数帯域は、それぞれの所定の条件に対応される。
【０２９６】
オプションとして、参考信号は、端末デバイスに利用される特定参考信号、ＤＭＲＳ、ＳＲＳ、ＣＳＩ−ＲＳのような参考信号の中の少なくとも一つを含む。
【０２９７】
図１８は、例示的な一実施例に係る参考信号送信装置の構成を示すフロック図である。上記参考信号送信装置は、専用のハードウェア回路、或いは、ハードウェアとソフトウェアの組合せによって、ネットワークアクセスデバイスの全部、或いは、一部を、実現してもよい。
【０２９８】
上記参考信号送信装置は、
第１ネットワークアクセスデバイスと第１周波数帯域を利用して通信する処理モジュール１７２０と、
第１周波数帯域を利用した通信が所定の条件を満たすか否かを検出する処理モジュール１７２０と、
第１周波数帯域を利用した通信が所定の条件を満たすと、第２周波数帯域を利用して参考信号を送信する送信モジュール１７６０と
を備え、
ここで、第１周波数帯域と第２周波数帯域とは互いに異なる。
【０２９９】
オプションとして、所定の条件は、
第２信号の信号強度が所定の強度より大きいこと、
第２信号の受信パワーが所定のパワーより大きいこと、
第２信号の受信品質が所定の品質より大きいこと、
第２信号のエラー率が所定の値未満であること
の中の少なくとも一つを含み、
ここで、第２信号は、第１ネットワークアクセスデバイスが第１周波数帯域を利用して送信した信号である。
【０３００】
オプションとして、所定の条件は、
参考信号送信装置が第１周波数帯域を使用して通信する際の第１地理位置と所定のネットワークアクセスデバイスの第２地理位置との間の距離が所定の閾値未満であること、
或いは、
参考信号送信装置が第１周波数帯域を使用して通信する際の第１地理位置が、所定のネットワークアクセスデバイスによって特定した領域である所定の領域内に位置すること
を含み、
ここで、所定のネットワークアクセスデバイスは、第２周波数帯域をサポートするネットワークアクセスデバイスである。
【０３０１】
オプションとして、所定の条件は、
参考信号送信装置第１周波数帯域を利用して信号を送信する際に使用したＭＩＭＯ（ｕｌｔｉ−Ｉｎｐｕｔ Ｍｕｌｔｉ−Ｏｕｔｐｕｔ）アンテナのアンテナ数が所定の数を超えること、
或いは、
参考信号送信装置第１周波数帯域を利用して信号を送信する際に使用されたＭＩＭＯアンテナのアンテナ位置が所定の位置を満たすこと、
或いは、
参考信号送信装置第１周波数帯域を利用して信号を送信する際に使用されたＭＩＭＯアンテナのアンテナ数が所定の数を超えるし、且つ、アンテナ位置が所定の位置を満たすこと
を含み、
ここで、アンテナ位置は、使用したＭＩＭＯアンテナのＭＩＭＯアンテナアレーに対する位置である。
【０３０２】
オプションとして、所定の条件は、
参考信号送信装置が受信した第１定位信号の信号受信強度が第１強度未満であること、
或いは、
参考信号送信装置が受信した第１定位信号の信号受信強度が第１強度未満であり、且つ、第１ネットワークアクセスデバイスが受信した第２定位信号の信号受信強度が第２強度未満であること、
或いは、
参考信号送信装置が受信した第１定位信号の信号受信強度と第１ネットワークアクセスデバイスが受信した第２定位信号の信号受信強度との間の差分が所定の差分未満であること
を含み、
ここで、第１定位信号は、参考信号送信装置が第１周波数帯域を使用して通信する際に受信した定位信号である。
【０３０３】
オプションとして、第１周波数帯域の周波数上限は、第２周波数帯域の周波数下限未満である。
【０３０４】
オプションとして、第２周波数帯域はｎ個あり、各々の第２周波数帯域は、それぞれの所定の条件に対応される。
【０３０５】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０３０６】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【図１】
2018523319.tif 000003
【図２】
2018523319.tif 000004
【図３】
2018523319.tif 000005
【図４】
2018523319.tif 000006
【図５】
2018523319.tif 000007
【図６】
2018523319.tif 000008
【図７Ａ】
2018523319.tif 000009
【図７Ｂ】
2018523319.tif 000010
【図７Ｃ】
2018523319.tif 000011
【図８】
2018523319.tif 000012
【図９Ａ】
2018523319.tif 000013
【図９Ｂ】
2018523319.tif 000014
【図１０】
2018523319.tif 000015
【図１１】
2018523319.tif 000016
【図１２】
2018523319.tif 000017
【図１３】
2018523319.tif 000018
【図１４】
2018523319.tif 000019
【図１５】
2018523319.tif 000020
【図１６】
2018523319.tif 000021
【図１７】
2018523319.tif 000022
【図１８】
2018523319.tif 000023
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
第１ネットワークアクセスデバイスが、端末デバイスの第１周波数帯域を利用した通信が所定の条件を満たすか否かを検出するステップと、
上記第１ネットワークアクセスデバイスが、上記第１周波数帯域を利用した通信が上記所定の条件を満たすと、上記端末デバイスが第２周波数帯域を利用して参考信号を送信するように指示するための所定のシグナリングを上記端末デバイスに送信するステップと
を含み、
ここで、上記第１周波数帯域と上記第２周波数帯域とが互いに異なる
ことを特徴とするシグナリング送信方法。
【請求項２】
上記所定の条件は、
第１信号の信号強度が所定の強度より大きいこと、
上記第１信号の受信パワーが所定のパワーより大きいこと、
上記第１信号の受信品質が所定の品質より大きいこと、
上記第１信号のエラー率が所定の値未満であること
の中の少なくとも一つを含み、
ここで、上記第１信号は、上記端末デバイスが上記第１周波数帯域を利用して送信した信号である
ことを特徴とする請求項１に記載のシグナリング送信方法。
【請求項３】
上記所定の条件は、
上記端末デバイスが上記第１周波数帯域を使用して通信する際の第１地理位置と所定のネットワークアクセスデバイスの第２地理位置との間の距離が所定の閾値未満であること、
或いは、
上記端末デバイスが上記第１周波数帯域を使用して通信する際の上記第１地理位置が、上記所定のネットワークアクセスデバイスによって特定した領域である所定の領域内に位置すること
を含み、
ここで、上記所定のネットワークアクセスデバイスは、上記第２周波数帯域をサポートするネットワークアクセスデバイスである
ことを特徴とする請求項１に記載のシグナリング送信方法。
【請求項４】
上記所定の条件は、
第１信号を受信する際に使用したＭＩＭＯ（ｕｌｔｉ−ＩｎｐｕｔＭｕｌｔｉ−Ｏｕｔｐｕｔ）アンテナのアンテナ数が所定の数を超えること、
或いは、
上記第１信号を受信する際に使用した上記ＭＩＭＯアンテナのアンテナ位置が所定の位置を満たすこと、
或いは、
上記第１信号を受信する際に使用した上記ＭＩＭＯアンテナのアンテナ数が所定の数を超えるし、且つ、アンテナ位置が所定の位置を満たすこと
を含み、
ここで、上記第１信号は、上記端末デバイスが上記第１周波数帯域を利用して送信した信号であり、上記アンテナ位置は、使用したＭＩＭＯアンテナのＭＩＭＯアンテナアレーに対する位置である
ことを特徴とする請求項１に記載のシグナリング送信方法。
【請求項５】
上記所定の条件は、
第２ネットワークアクセスデバイスが受信した、上記端末デバイスにより上記第１周波数帯域を利用して送信した信号の信号パラメータが第１条件を満たすこと、
或いは、
上記第２ネットワークアクセスデバイスが受信した、上記端末デバイスにより上記第１周波数帯域を利用して送信した信号の信号パラメータが第２条件を満たし、且つ、上記第１ネットワークアクセスデバイスが受信した、上記端末デバイスにより上記第１周波数帯域を利用して送信した信号の信号パラメータが第３条件を満たすこと
を含み、
ここで、上記信号パラメータは、信号強度、信号パワー、信号品質及び信号エラー率の中の少なくとも一つを含む
ことを特徴とする請求項１に記載のシグナリング送信方法。
【請求項６】
上記所定の条件は、
上記端末デバイスが受信した第１定位信号の信号受信強度が第１強度未満であること、
或いは、
上記端末デバイスが受信した上記第１定位信号の信号受信強度が上記第１強度未満であり、且つ、上記第１ネットワークアクセスデバイスが受信した第２定位信号の信号受信強度が第２強度未満であること、
或いは、
上記端末デバイスが受信した上記第１定位信号の信号受信強度と上記第１ネットワークアクセスデバイスが受信した上記第２定位信号の信号受信強度との間の差分が所定の差分未満であること
を含み、
ここで、上記第１定位信号は、上記端末が上記第１周波数帯域を使用して通信する際に受信した定位信号である
ことを特徴とする請求項１に記載のシグナリング送信方法。
【請求項７】
上記第１周波数帯域の周波数上限は、上記第２周波数帯域の周波数下限未満である
ことを特徴とする請求項１乃至６の中のいずれか1項に記載のシグナリング送信方法。
【請求項８】
上記第２周波数帯域はｎ個あり、各上記第２周波数帯域はそれぞれの上記所定の条件に対応される
ことを特徴とする請求項１乃至６の中のいずれか1項に記載のシグナリング送信方法。
【請求項９】
上記参考信号は、
端末デバイスに利用される特定参考信号、ＤＭＲＳ（ｄｅｍｏｄｕｌａｔｉｏｎｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅｓｉｇｎａｌ）のような参考信号の中の少なくとも一つを含む
ことを特徴とする請求項１乃至６の中のいずれか1項に記載のシグナリング送信方法。
【請求項１０】
端末デバイスが、ネットワークアクセスデバイスと第１周波数帯域を利用して通信するステップと、
上記端末デバイスが、上記ネットワークアクセスデバイスにより上記第１周波数帯域を利用した上記通信が所定の条件を満たす際に送信した所定の命令を受信するステップと、
上記端末デバイスが第２周波数帯域を利用して参考信号を送信するステップと
を含み、
ここで、上記第１周波数帯域と上記第２周波数帯域とが互いに異なる
ことを特徴とする参考信号送信方法。
【請求項１１】
上記第１周波数帯域の周波数上限は、上記第２周波数帯域の周波数下限未満である
ことを特徴とする請求項１０に記載の参考信号送信方法。
【請求項１２】
上記第２周波数帯域はｎ個あり、各上記第２周波数帯域はそれぞれの上記所定の条件に対応される
ことを特徴とする請求項１０又は１１に記載の参考信号送信方法。
【請求項１３】
上記参考信号は、
端末デバイスに利用される特定参考信号、ＤＭＲＳ（ｄｅｍｏｄｕｌａｔｉｏｎｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅｓｉｇｎａｌ）のような参考信号の中の少なくとも一つを含む
ことを特徴とする請求項１０又は１１に記載の参考信号送信方法。
【請求項１４】
端末デバイスが、第１ネットワークアクセスデバイスと第１周波数帯域を利用して通信するステップと、
上記端末デバイスが、上記第１周波数帯域を利用した通信が所定の条件を満たすか否かを検出するステップと、
上記端末デバイスが、上記第１周波数帯域を利用した通信が上記所定の条件を満たすと、第２周波数帯域を利用して参考信号を送信するステップと
を含み、
ここで、上記第１周波数帯域と上記第２周波数帯域とが互いに異なる
ことを特徴とする参考信号送信方法。
【請求項１５】
上記所定の条件は、
第２信号の信号強度が所定の強度より大きいこと、
上記第２信号の受信パワーが所定のパワーより大きいこと、
上記第２信号の受信品質が所定の品質より大きいこと、
上記第２信号のエラー率が所定の値未満であること
の中の少なくとも一つを含み、
ここで、上記第２信号は、上記第１ネットワークアクセスデバイスが上記第１周波数帯域を利用して送信した信号である
ことを特徴とする請求項１４に記載の参考信号送信方法。
【請求項１６】
上記所定の条件は、
上記端末デバイスが上記第１周波数帯域を使用して通信する際の第１地理位置と所定のネットワークアクセスデバイスの第２地理位置との間の距離が所定の閾値未満であること、
或いは、
上記端末デバイスが上記第１周波数帯域を使用して通信する際の上記第１地理位置が、上記所定のネットワークアクセスデバイスによって特定した領域である所定の領域内に位置すること
を含み、
ここで、上記所定のネットワークアクセスデバイスは上記第２周波数帯域をサポートするネットワークアクセスデバイスである
ことを特徴とする請求項１４に記載の参考信号送信方法。
【請求項１７】
上記所定の条件は、
上記端末デバイスが上記第１周波数帯域を利用して信号を送信する際に使用したＭＩＭＯ（ｕｌｔｉ−ＩｎｐｕｔＭｕｌｔｉ−Ｏｕｔｐｕｔ）アンテナのアンテナ数が所定の数を超えること、
或いは、
上記端末デバイスが上記第１周波数帯域を利用して上記信号を送信する際に使用した上記ＭＩＭＯアンテナのアンテナ位置が所定の位置を満たすこと、
或いは、
上記端末デバイスが上記第１周波数帯域を利用して上記信号を送信する際に使用した上記ＭＩＭＯアンテナのアンテナ数が所定の数を超えるし、且つ、アンテナ位置が所定の位置を満たすこと
を含み、
ここで、上記アンテナ位置は、使用したＭＩＭＯアンテナのＭＩＭＯアンテナアレーに対する位置である
ことを特徴とする請求項１４に記載の参考信号送信方法。
【請求項１８】
上記所定の条件は、
上記端末デバイスが受信した第１定位信号の信号受信強度が第１強度未満であること、
或いは、
上記端末デバイスが受信した上記第１定位信号の信号受信強度が上記第１強度未満であり、且つ、上記第１ネットワークアクセスデバイスが受信した第２定位信号の信号受信強度が第２強度未満であること、
或いは、
上記端末デバイスが受信した上記第１定位信号の信号受信強度と上記第１ネットワークアクセスデバイスが受信した上記第２定位信号の信号受信強度との間の差分が所定の差分未満であること
を含み、
ここで、上記第１定位信号は、上記端末デバイスが上記第１周波数帯域を使用して通信する際に受信した定位信号である
ことを特徴とする請求項１４に記載の参考信号送信方法。
【請求項１９】
上記第１周波数帯域の周波数上限は、上記第２周波数帯域の周波数下限未満である
ことを特徴とする請求項１４乃至１８の中のいずれか１項に記載の参考信号送信方法。
【請求項２０】
上記第２周波数帯域はｎ個あり、各上記第２周波数帯域はそれぞれの上記所定の条件に対応される
ことを特徴とする請求項１４乃至１８の中のいずれか１項に記載の参考信号送信方法。
【請求項２１】
端末デバイスの第１周波数帯域を利用した通信が所定の条件を満たすか否かを検出する処理モジュールと、
上記第１周波数帯域を利用した通信が上記所定の条件を満たすと、上記端末デバイスが第２周波数帯域を利用して参考信号を送信するように指示するための所定のシグナリングを上記端末デバイスに送信する送信モジュールと
を備え、
ここで、上記第１周波数帯域と上記第２周波数帯域とが互いに異なる
ことを特徴とするシグナリング送信装置。
【請求項２２】
上記所定の条件は、
第１信号の信号強度が所定の強度より大きいこと、
上記第１信号の受信パワーが所定のパワーより大きいこと、
上記第１信号の受信品質が所定の品質より大きいこと、
上記第１信号のエラー率が所定の値未満であること
の中の少なくとも一つを含み、
ここで、上記第１信号は、上記端末デバイスが上記第１周波数帯域を利用して送信した信号である
ことを特徴とする請求項２１に記載のシグナリング送信装置。
【請求項２３】
上記所定の条件は、
上記端末デバイスが上記第１周波数帯域を使用して通信する際の第１地理位置と所定のネットワークアクセスデバイスの第２地理位置との間の距離が所定の閾値未満であること、
或いは、
上記端末デバイスが上記第１周波数帯域を使用して通信する際の上記第１地理位置が、上記所定のネットワークアクセスデバイスによって特定した領域である所定の領域内に位置すること
を含み、
ここで、上記所定のネットワークアクセスデバイスは、上記第２周波数帯域をサポートするネットワークアクセスデバイスである
ことを特徴とする請求項２１に記載のシグナリング送信装置。
【請求項２４】
上記所定の条件は、
第１信号を受信する際に使用したＭＩＭＯ（ｕｌｔｉ−ＩｎｐｕｔＭｕｌｔｉ−Ｏｕｔｐｕｔ）アンテナのアンテナ数が所定の数を超えること、
或いは、
上記第１信号を受信する際に使用した上記ＭＩＭＯアンテナのアンテナ位置が所定の位置を満たすこと、
或いは、
上記第１信号を受信する際に使用した上記ＭＩＭＯアンテナのアンテナ数が所定の数を超えるし、且つ、アンテナ位置が所定の位置を満たすこと
を含み、
ここで、上記第１信号は、上記端末デバイスが上記第１周波数帯域を利用して送信した信号であり、上記アンテナ位置は、使用したＭＩＭＯアンテナのＭＩＭＯアンテナアレーに対する位置である
ことを特徴とする請求項２１に記載のシグナリング送信装置。
【請求項２５】
上記所定の条件は、
第２ネットワークアクセスデバイスが受信した、上記端末デバイスにより上記第１周波数帯域を利用して送信した信号の信号パラメータが第１条件を満たすこと、
或いは、
上記第２ネットワークアクセスデバイスが受信した、上記端末デバイスにより上記第１周波数帯域を利用して送信した信号の信号パラメータが第２条件を満たし、且つ、上記シグナリング送信装置が受信した、上記端末デバイスにより上記第１周波数帯域を利用して送信した信号の信号パラメータが第３条件を満たすこと
を含み、
ここで、上記信号パラメータは、信号強度、信号パワー、信号品質及び信号エラー率の中の少なくとも一つを含む
ことを特徴とする請求項２１に記載のシグナリング送信装置。
【請求項２６】
上記所定の条件は、
上記端末デバイスが受信した第１定位信号の信号受信強度が第１強度未満であること、
或いは、
上記端末デバイスが受信した上記第１定位信号の信号受信強度が上記第１強度未満であり、且つ、上記シグナリング送信装置が受信した第２定位信号の信号受信強度が第２強度未満であること、
或いは、
上記端末デバイスが受信した上記第１定位信号の信号受信強度と上記シグナリング送信装置が受信した上記第２定位信号の信号受信強度との間の差分が所定の差分未満であること
を含み、
ここで、上記第１定位信号は、上記端末が上記第１周波数帯域を使用して通信する際に受信した定位信号である
ことを特徴とする請求項２１に記載のシグナリング送信装置。
【請求項２７】
上記第１周波数帯域の周波数上限は、上記第２周波数帯域の周波数下限未満である
ことを特徴とする請求項２１乃乃至２６の中のいずれか１項に記載のシグナリング送信装置。
【請求項２８】
上記第２周波数帯域はｎ個あり、各上記第２周波数帯域はそれぞれの上記所定の条件に対応される
ことを特徴とする請求項２１乃乃至２６の中のいずれか１項に記載のシグナリング送信装置。
【請求項２９】
上記参考信号は、
端末デバイスに利用される特定参考信号、ＤＭＲＳ（ｄｅｍｏｄｕｌａｔｉｏｎｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅｓｉｇｎａｌ）のような参考信号の中の少なくとも一つを含む
ことを特徴とする請求項２１乃乃至２６の中のいずれか１項に記載のシグナリング送信装置。
【請求項３０】
ネットワークアクセスデバイスと第１周波数帯域を利用して通信する処理モジュールと、
上記ネットワークアクセスデバイスが上記第１周波数帯域を利用した上記通信が所定の条件を満たす際に送信した所定の命令を受信する受信モジュールと、
第２周波数帯域を利用して参考信号を送信する送信モジュールと
を備え、
ここで、上記第１周波数帯域と上記第２周波数帯域とが互いに異なる
ことを特徴とする参考信号送信装置。
【請求項３１】
上記第１周波数帯域の周波数上限は、上記第２周波数帯域の周波数下限未満である
ことを特徴とする請求項３０に記載の参考信号送信装置。
【請求項３２】
上記第２周波数帯域はｎ個あり、各上記第２周波数帯域はそれぞれの上記所定の条件に対応される
ことを特徴とする請求項３０又は３１に記載の参考信号送信装置。
【請求項３３】
上記参考信号は、
端末デバイスに利用される特定参考信号、ＤＭＲＳ（ｄｅｍｏｄｕｌａｔｉｏｎｒｅｆｅｒｅｎｃｅ ｓｉｇｎａｌ）、ＳＲＳ（ｓｏｕｎｄｉｎｇ ｒｅｆｅｒｅｎｃｅ ｓｉｇｎａｌ）、ＣＳＩ−ＲＳ（ｃｈａｎｎｅｌ ｓｔａｔｅ ｉｎｆｏｒｍａｔｉｏｎ ｒｅｆｅｒｅｎｃｅｓｉｇｎａｌ）のような参考信号の中の少なくとも一つを含む
ことを特徴とする請求項３０又は３１に記載の参考信号送信装置。
【請求項３４】
第１ネットワークアクセスデバイスと第１周波数帯域を利用して通信する処理モジュールと、
上記第１周波数帯域を利用した通信が所定の条件を満たすか否かを検出する上記処理モジュールと、
上記第１周波数帯域を利用した通信が所定の条件を満たすと、第２周波数帯域を利用して参考信号を送信する送信モジュールと
を備え、
ここで、上記第１周波数帯域と上記第２周波数帯域とが互いに異なる
ことを特徴とする参考信号送信装置。
【請求項３５】
上記所定の条件は、
第２信号の信号強度が所定の強度より大きいこと、
上記第２信号の受信パワーが所定のパワーより大きいこと、
上記第２信号の受信品質が所定の品質より大きいこと、
上記第２信号のエラー率が所定の値未満であること
の中の少なくとも一つを含み、
ここで、上記第２信号は、上記第１ネットワークアクセスデバイスが上記第１周波数帯域を利用して送信した信号である
ことを特徴とする請求項３４に記載の参考信号送信装置。
【請求項３６】
上記所定の条件は、
上記参考信号送信装置が上記第１周波数帯域を使用して通信する際の第１地理位置と所定のネットワークアクセスデバイスの第２地理位置との間の距離が所定の閾値未満であること、
或いは、
上記参考信号送信装置が上記第１周波数帯域を使用して通信する際の上記第１地理位置が、上記所定のネットワークアクセスデバイスによって特定した領域である所定の領域内に位置すること
を含み、
ここで、上記所定のネットワークアクセスデバイスは上記第２周波数帯域をサポートするネットワークアクセスデバイスである
ことを特徴とする請求項３４に記載の参考信号送信装置。
【請求項３７】
上記所定の条件は、
上記参考信号送信装置が上記第１周波数帯域を利用して信号を送信する際に使用したＭＩＭＯ（ｕｌｔｉ−ＩｎｐｕｔＭｕｌｔｉ−Ｏｕｔｐｕｔ）アンテナのアンテナ数が所定の数を超えること、
或いは、
上記参考信号送信装置が上記第１周波数帯域を利用して上記信号を送信する際に使用した上記ＭＩＭＯアンテナのアンテナ位置が所定の位置を満たすこと、
或いは、
上記参考信号送信装置が上記第１周波数帯域を利用して上記信号を送信する際に使用した上記ＭＩＭＯアンテナのアンテナ数が所定の数を超えるし、且つ、アンテナ位置が所定の位置を満たすこと
を含み、
ここで、上記アンテナ位置は、使用したＭＩＭＯアンテナのＭＩＭＯアンテナアレーに対する位置である
ことを特徴とする請求項３４に記載の参考信号送信装置。
【請求項３８】
上記所定の条件は、
上記参考信号送信装置が受信した第１定位信号の信号受信強度が第１強度未満であること、
或いは、
上記参考信号送信装置が受信した上記第１定位信号の信号受信強度が上記第１強度未満であり、且つ、上記第１ネットワークアクセスデバイスが受信した第２定位信号の信号受信強度が第２強度未満であること、
或いは、
上記参考信号送信装置が受信した上記第１定位信号の信号受信強度と上記第１ネットワークアクセスデバイスが受信した上記第２定位信号の信号受信強度との間の差分が所定の差分未満であること
を含み、
ここで、上記第１定位信号は、上記参考信号送信装置が上記第１周波数帯域を使用して通信する際に受信した定位信号である
ことを特徴とする請求項３４に記載の参考信号送信装置。
【請求項３９】
上記第１周波数帯域の周波数上限は、上記第２周波数帯域の周波数下限未満である
ことを特徴とする請求項３４乃至３８の中のいずれか１項に記載の参考信号送信装置。
【請求項４０】
上記第２周波数帯域はｎ個あり、各上記第２周波数帯域はそれぞれの上記所定の条件に対応される
ことを特徴とする請求項３４乃至３８の中のいずれか１項に記載の参考信号送信装置。
【請求項４１】
プロセッサと、
前記プロセッサが実行可能な命令を記憶するためのメモリと
を備え、
前記プロセッサは、
端末デバイスの第１周波数帯域を利用した通信が所定の条件を満たすか否かを検出し、
上記第１周波数帯域を利用した通信が上記所定の条件を満たすと、上記端末デバイスが第２周波数帯域を利用して参考信号を送信するように指示するための所定のシグナリングを上記端末デバイスに送信する
ように構成され、
ここで、上記第１周波数帯域と上記第２周波数帯域とが互いに異なる
ことを特徴とするネットワークアクセスデバイス。
【請求項４２】
プロセッサと、
前記プロセッサが実行可能な命令を記憶するためのメモリと
を備え、
前記プロセッサは、
ネットワークアクセスデバイスと第１周波数帯域を利用して通信し、
上記ネットワークアクセスデバイスが上記第１周波数帯域を利用した上記通信が所定の条件を満たす際に送信した所定の命令を受信し、
第２周波数帯域を利用して参考信号を送信する
ように構成され、
ここで、上記第１周波数帯域と上記第２周波数帯域とが互いに異なる
ことを特徴とする端末デバイス。
【請求項４３】
プロセッサと、
前記プロセッサが実行可能な命令を記憶するためのメモリと
を備え、
前記プロセッサは、
第１ネットワークアクセスデバイスと第１周波数帯域を利用して通信し、
上記第１周波数帯域を利用した通信が所定の条件を満たすか否かを検出し、
上記第１周波数帯域を利用した通信が上記所定の条件を満たすと、第２周波数帯域を利用して参考信号を送信する
ように構成され、
ここで、上記第１周波数帯域と上記第２周波数帯域とが互いに異なる
ことを特徴とする端末デバイス。
【請求項４４】
ネットワークアクセスデバイスと、端末デバイスとを備え、
上記ネットワークアクセスデバイスは、請求項２１乃至２９の中のいずれか１項に記載の装置を含み、
上記端末デバイスは、請求項３０乃至３３の中のいずれか１項に記載の装置を含む
ことを特徴とするモバイル通信システム。
【請求項４５】
ネットワークアクセスデバイスと、端末デバイスとを備え、
上記端末デバイスは、請求項３４乃至４０の中のいずれか１項に記載の装置を含む
ことを特徴とするモバイル通信システム。
【請求項４６】
上記モバイル通信システムは、ネットワークアクセスデバイスと、端末デバイスとを備え、
上記ネットワークアクセスデバイスは、請求項４１に記載のネットワークアクセスデバイスであり、
上記端末デバイスは、請求項４２に記載の端末デバイスである
ことを特徴とするモバイル通信システム。
【請求項４７】
ネットワークアクセスデバイスと、端末デバイスとを備え、
上記端末デバイスは、請求項４３に記載の端末デバイスである
ことを特徴とするモバイル通信システム。
【請求項４８】
プロセッサに実行されることにより、請求項１から請求項６のいずれか１項に記載のシグナリング送信方法を実現することを特徴とするプログラム。
【請求項４９】
請求項４８に記載のプログラムが記録された記録媒体。
【手続補正３】
【補正対象書類名】明細書
【補正対象項目名】０００２
【補正方法】変更
【補正の内容】
【０００２】
本発明は、通信分野に関し、特に、シグナリング送信方法、参考信号送信方法、装置、システム、プログラム及び記録媒体に関する。
【手続補正４】
【補正対象書類名】明細書
【補正対象項目名】０００５
【補正方法】変更
【補正の内容】
【０００５】
本発明は、シグナリング送信方法、参考信号送信方法、装置、システム、プログラム及び記録媒体を提供する。
【手続補正５】
【補正対象書類名】明細書
【補正対象項目名】００６１
【補正方法】変更
【補正の内容】
【００６１】
本発明の実施例に係る第１３の態様によると、モバイル通信システムを提供する。
上記モバイル通信システムは、
ネットワークアクセスデバイスと、端末デバイスとを備え、
端末デバイスは、第９の態様に記載の端末デバイスである。
本発明の実施例の第１４の態様によると、プログラムを提供し、当該プログラムは、プロセッサに実行されることにより、上記のシグナリング送信方法を実現する。
本発明の実施例の第１５の態様によると、記録媒体を提供し、当該記録媒体には、上記プログラムが記録されている。
【国際調査報告】
2018523319.tif 000024
2018523319.tif 000025
2018523319.tif 000026
2018523319.tif 000027
2018523319.tif 000028
2018523319.tif 000029
2018523319.tif 000030